(57)【特許請求の範囲】
【請求項１】
ダウンリンクスケジューリングを実行するｅＮＢ（evolved  node  B）であって、前記ｅＮＢは１又は複数のプロセッサを有し、該１又は複数のプロセッサは、
セカンダリセルに対しサブフレーム間スケジューリングを実行するために、プライマリセルの所定のフレームの中の１又は複数のサブフレームを識別し、前記プライマリセルは、認可帯域を用いてユーザ機器（ＵＥ）と通信するよう構成され、前記セカンダリセルは、未認可帯域を用いて前記ＵＥと通信するよう構成され、
前記プライマリセルの前記１又は複数のサブフレームのうち専用サブフレームを用いて、所定のサブフレーム間スケジューリングパターンに従って前記セカンダリセルの１又は複数のダウンリンクサブフレームに対し前記サブフレーム間スケジューリングを実行し、
前記セカンダリセルの前記サブフレームからＨＡＲＱ（hybrid  automatic  repeat  request）フィードバックを受信し、前記セカンダリセルの前記サブフレームは、前記プライマリセルの対応するサブフレームの送信方向と異なる送信方向を有する、
よう構成される、ｅＮＢ。
【請求項２】
前記プライマリセルの前記サブフレームは、サブフレーム境界及び対応するインデックスに関して、前記セカンダリセルのサブフレームに揃えられ、ＤＣＩ（downlink  control  information）は、前記セカンダリセルのダウンリンクサブフレームに対し前記サブフレーム間スケジューリングを実行するために用いられ、前記プライマリセルのサブフレームインデックスは、前記ＤＣＩの対象とする前記セカンダリセルのサブフレームインデックスと異なるＤＣＩを含む、請求項１に記載のｅＮＢ。
【請求項３】
前記１又は複数のプロセッサは、前記プライマリセルの単一のサブフレームを用いて、前記セカンダリセルの所定数の連続するダウンリンクサブフレームに対し、前記サブフレーム間スケジューリングを実行するよう更に構成され、単一のＤＣＩ（downlink  control  information）は、前記セカンダリセルの所定数の連続するダウンリンクサブフレームに対し、サブフレーム間スケジューリングを実行するために使用される、請求項１に記載のｅＮＢ。
【請求項４】
前記プライマリセルは時分割多重（ＴＤＤ）又は周波数分割多重（ＦＤＤ）で動作し、
前記セカンダリセルはＴＤＤ又はＦＤＤで動作する、
請求項１に記載のｅＮＢ。
【請求項５】
前記１又は複数のプロセッサは、前記セカンダリセルの前記ダウンリンクサブフレームとほぼ並列な前記プライマリセルのサブフレームを用いて、前記セカンダリセルのダウンリンクサブフレームに対し、前記サブフレーム間スケジューリングを実行するよう更に構成され、前記プライマリセルの前記サブフレームは、サブフレーム境界及び対応するインデックスに関し、前記セカンダリセルの前記ダウンリンクサブフレームに揃えられず、前記セカンダリセルの前記ダウンリンクサブフレームは、開始時点ｔ１及び終了時点ｔ２を有し、前記プライマリセルの前記サブフレームは、開始時点ｔ３及び終了時点ｔ４を有し、ｔ３≦ｔ１、及びｔ１≦ｔ４≦ｔ２である、請求項１に記載のｅＮＢ。
【請求項６】
前記１又は複数のプロセッサは、前記プライマリセルの単一のサブフレームからの複数のＤＣＩ（downlink  control  information）を用いて、前記セカンダリセルの所定数の連続するダウンリンクサブフレームに対し、前記サブフレーム間スケジューリングを実行するよう更に構成され、前記プライマリセルの前記サブフレームは、前記セカンダリセルのサブフレームと揃えられない、請求項１に記載のｅＮＢ。
【請求項７】
サブフレーム指示子フィールドは、前記サブフレーム間スケジューリングがＤＣＩ（downlink  control  information）を用いて実行される、前記セカンダリセルのダウンリンクサブフレームのインデックスを示すために用いられる、請求項１に記載のｅＮＢ。
【請求項８】
前記セカンダリセルの前記サブフレームは、所定のＨＡＲＱフィードバックパターンに基づく前記プライマリセルの１又は複数のアップリンクサブフレームに対応する、請求項１に記載のｅＮＢ。
【請求項９】
前記セカンダリセルの前記サブフレームは、サブフレーム境界及び対応するインデックスに関して、前記プライマリセルの前記サブフレームと揃えられない、請求項１に記載のｅＮＢ。
【請求項１０】
前記１又は複数のプロセッサは、前記セカンダリセルの使用中サブフレームに対し前記サブフレーム間スケジューリングを実行し、前記セカンダリセルの休止サブフレームに対し前記サブフレーム間スケジューリングを実行しないよう構成される、請求項１に記載のｅＮＢ。
【請求項１１】
前記認可帯域の前記プライマリセル及び前記未認可帯域の前記セカンダリセルは、キャリアアグリゲーションを用いて前記ＵＥと通信するよう構成される、請求項１に記載のｅＮＢ。
【請求項１２】
ダウンリンクスケジューリングを実行する方法であって、前記方法は、
セカンダリセルに対しサブフレーム間スケジューリングを実行するために、プライマリセルの所定のフレームの中の１又は複数のサブフレームを識別するステップであって、前記プライマリセルは、認可帯域を用いてユーザ機器（ＵＥ）と通信するよう構成され、前記セカンダリセルは、未認可帯域を用いて前記ＵＥと通信するよう構成される、ステップと、
前記プライマリセルの前記１又は複数のサブフレームのうち専用サブフレームを用いて、所定のサブフレーム間スケジューリングパターンに従って前記セカンダリセルの１又は複数のダウンリンクサブフレームに対し前記サブフレーム間スケジューリングを実行するステップと、
前記セカンダリセルの前記サブフレームからＨＡＲＱ（hybrid  automatic  repeat  request）フィードバックを受信するステップであって、前記セカンダリセルの前記サブフレームは、前記プライマリセルの対応するサブフレームの送信方向と異なる送信方向を有する、ステップと、
を有する方法。
【請求項１３】
前記プライマリセルのサブフレームが、サブフレーム境界及び対応するインデックスに関し、前記セカンダリセルのサブフレームと揃えられるとき、前記セカンダリセルの前記１又は複数のダウンリンクサブフレームに対し、前記サブフレーム間スケジューリングを実行するステップ、を更に有する請求項１２に記載の方法。
【請求項１４】
ＤＣＩ（downlink  control  information）を用いて、前記セカンダリセルの前記ダウンリンクサブフレームに対し、前記サブフレーム間スケジューリングを実行するステップであって、前記プライマリセルのサブフレームインデックスは、前記ＤＣＩが対象とする前記セカンダリセルのサブフレームインデックスと異なるＤＣＩを有する、ステップ、又は、
前記プライマリセルの単一のダウンリンクサブフレームからの複数のＤＣＩ（downlink  control  information）を用いて、前記セカンダリセルの所定数の連続するダウンリンクサブフレームに対し、前記サブフレーム間スケジューリングを実行するステップ、
を更に有する請求項１２に記載の方法。
【請求項１５】
前記セカンダリセルの前記１又は複数のサブフレームは、所定のＨＡＲＱフィードバックパターンに基づく前記プライマリセルの１又は複数のアップリンクサブフレームに対応する、ステップ、を更に有する請求項１２に記載の方法。
【発明の詳細な説明】
【背景技術】
【０００１】
無線モバイル通信技術は、種々の規格及びプロトコルを用いて、ノード（例えば、送信局）と無線装置（例えば、モバイル装置）との間でデータを伝送する。幾つかの無線装置は、ダウンリンク（ＤＬ）送信でＯＦＤＭＡ（orthogonal  frequency−division  multiple  access）を、アップリンク（ＵＬ）送信でＳＣ−ＦＤＭＡ（single  carrier  frequency  division  multiple  access）を用いて通信する。信号送信のためにＯＦＤＭ（orthogonal  frequency−division  multiplexing）を用いる規格及びプロトコルは、３ＧＰＰ（third  generation  partnership  project）ＬＴＥ（long  term  evolution）、ＷｉＭＡＸ（Worldwide  interoperability  for  Microwave  Access）として業界団体に一般に知られているＩＥＥＥ（Institute  of  Electrical  and  Electronics  Engineers）８０２．１６標準（例えば、８０２．１６ｅ、８０２．１６ｍ）、及びＷｉＦｉとして業界団体に一般に知られているＩＥＥＥ８０２．１１標準を含む。
【０００２】
３ＧＰＰ  ＲＡＮ（radio  access  network）ＬＴＥシステムでは、ノードは、Ｅ−ＵＴＲＡＮ（Evolved  Universal  Terrestrial  Radio  Access  Network）ＮｏｄｅＢ（evolved  Node  B、enhanced  Node  B、eNodeB、又はeNBとしても一般的に表記される）と、ユーザ機器（ＵＥ）として知られる無線装置と通信するＲＮＣ（Radio  Network  Controllers）との組合せであり得る。ダウンリンク（ＤＬ）送信は、ノード（例えば、eNodeB）から無線装置（例えば、ＵＥ）への通信であり得る。また、アップリンク（ＵＬ）送信は、無線装置からノードへの通信であり得る。
【０００３】
同種ネットワークでは、ノードは、マクロノードとも呼ばれ、セル内の無線装置に基本無線カバレッジを提供できる。セルは、無線装置がマクロノードと通信するよう動作可能な領域であり得る。異種ネットワーク（HetNets）は、無線装置の使用及び機能の増大により増大したマクロノードのトラフィック負荷を処理するために用いることができる。ＮｅｔＮｅｔｓは、マクロノードのカバレッジ領域（セル）の範囲内であまり計画性の高くない若しくは全体的に未調整の方法で展開され得る低電力ノード（スモールｅＮＢ、マイクロｅＮＢ、ピコｅＮＢ、フェムトｅＮＢ又はホームｅＮＢ［ＨｅＮＢ］）の層と重なる、高電力マクロノード（又はマクロｅＮＢ）の１つの層を有し得る。低電力ノード（ＬＰＮ）は、通常、「低電力ノード」、スモールノード、又はスモールセルと表すことができる。
【０００４】
ＬＴＥでは、データは、ｅＮｏｄｅＢからＵＥへ、ＰＤＳＣＨ（physical  downlink  shared  channel）を介して送信され得る。ＰＵＣＣＨ（physical  uplink  control  channel）は、データが受信されたことの肯定応答のために使用され得る。ダウンリンク及びアップリンクチャネル又は送信は、ＴＤＤ（time−division  duplexing）又はＦＤＤ（frequency−division  duplexing）を用いることができる。
【図面の簡単な説明】
【０００５】
本開示の特徴及び利点は、例として本開示の特徴を共に図示する添付の図面と関連する以下の詳細な説明から明らかである。
【図１Ａ】一例に従う、主搬送波のサブフレーム境界に揃えられるサブフレーム境界を有する第１の種類の未認可タイプ（unlicensed  carrier  type：ＵＣＴ）の副搬送波を示す。
【図１Ｂ】一例に従う、主搬送波のサブフレーム境界に揃えられるサブフレーム境界を有する第２の種類の未認可タイプ（unlicensed  carrier  type：ＵＣＴ）の副搬送波を示す。
【図２Ａ】一例に従う、主搬送波（ＰＣｅｌｌ）が時分割多重（ＴＤＤ）を用いて動作し、副搬送波（ＳＣｅｌｌ）が周波数分割多重（ＦＤＤ）を用いて動作するときのサブフレーム間スケジューリングを示す。
【図２Ｂ】一例に従う、主搬送波（ＰＣｅｌｌ）が時分割多重（ＴＤＤ）を用いて動作し、副搬送波（ＳＣｅｌｌ）がＴＤＤを用いて動作するときのサブフレーム間スケジューリングを示す。
【図３】一例に従う、時分割多重（ＴＤＤ）アップリンク／ダウンリンク（ＵＬ／ＤＬ）構成及びサブフレーム数ｎに基づく、サブフレーム間スケジューリングパターンを有するテーブルである。
【図４Ａ】一例に従う、主搬送波（ＰＣｅｌｌ）のダウンリンクサブフレーム及びＰＣｅｌｌ専用サブフレームを用いる、副搬送波（ＳＣｅｌｌ）のためのサブフレーム間スケジューリングを示す。
【図４Ｂ】一例に従う、主搬送波（ＰＣｅｌｌ）のダウンリンクサブフレーム及びＰＣｅｌｌ専用サブフレームを用いる、副搬送波（ＳＣｅｌｌ）のためのサブフレーム間スケジューリングを示す。
【図５】一例に従う、副搬送波（ＳＣｅｌｌ）のための複数サブフレームスケジューリングを示す。
【図６Ａ】一例に従う、副搬送波（ＳＣｅｌｌ）のサブフレーム境界が主搬送波（ＰＣｅｌｌ）のサブフレーム境界に揃えられないときの、ＳＣｅｌｌのためのサブフレーム間スケジューリングを示す。
【図６Ｂ】一例に従う、副搬送波（ＳＣｅｌｌ）のサブフレーム境界が主搬送波（ＰＣｅｌｌ）のサブフレーム境界に揃えられないときの、ＳＣｅｌｌのためのサブフレーム間スケジューリングを示す。
【図６Ｃ】一例に従う、副搬送波（ＳＣｅｌｌ）のサブフレーム境界が主搬送波（ＰＣｅｌｌ）のサブフレーム境界に揃えられないときの、ＳＣｅｌｌのためのサブフレーム間スケジューリングを示す。
【図７Ａ】一例に従う、副搬送波（ＳＣｅｌｌ）のサブフレーム境界が主搬送波（ＰＣｅｌｌ）のサブフレーム境界に揃えられないときの、ＳＣｅｌｌのための複数サブフレームスケジューリングを示す。
【図７Ｂ】一例に従う、副搬送波（ＳＣｅｌｌ）のサブフレーム境界が主搬送波（ＰＣｅｌｌ）のサブフレーム境界に揃えられないときの、ＳＣｅｌｌのための複数サブフレームスケジューリングを示す。
【図８】一例に従う、副搬送波（ＳＣｅｌｌ）ＰＤＳＣＨ（physical  downlink  shared  channel）に対応する、ＨＡＲＱ（hybrid  automatic  repeat  request）ＡＣＫ（acknowledgement）／ＮＡＣＫ（negative  acknowledgement）フィードバックのシナリオを有するテーブルである。
【図９Ａ】一例に従う、副搬送波（ＳＣｅｌｌ）のためのＨＡＲＱ（hybrid  automatic  repeat  request）フィードバックを示す。
【図９Ｂ】一例に従う、副搬送波（ＳＣｅｌｌ）のためのＨＡＲＱ（hybrid  automatic  repeat  request）フィードバックを示す。
【図９Ｃ】一例に従う、副搬送波（ＳＣｅｌｌ）のためのＨＡＲＱ（hybrid  automatic  repeat  request）フィードバックを示す。
【図９Ｄ】一例に従う、副搬送波（ＳＣｅｌｌ）のためのＨＡＲＱ（hybrid  automatic  repeat  request）フィードバックを示す。
【図１０】一例に従う、周波数分割多重（ＦＤＤ）で動作しＰＤＳＣＨ（physical  downlink  shared  channel）を介する副搬送波（ＳＣｅｌｌ）のダウンリンク（ＤＬ）ＨＡＲＱ（hybrid  automatic  repeat  request）タイミングのためのテーブルである。
【図１１Ａ】一例に従う、副搬送波（ＳＣｅｌｌ）のサブフレーム境界が主搬送波（ＰＣｅｌｌ）のサブフレーム境界に揃えられないときの、ＳＣｅｌｌのためのＨＡＲＱ（hybrid  automatic  repeat  request）フィードバックを示す。
【図１１Ｂ】一例に従う、副搬送波（ＳＣｅｌｌ）のサブフレーム境界が主搬送波（ＰＣｅｌｌ）のサブフレーム境界に揃えられないときの、ＳＣｅｌｌのためのＨＡＲＱ（hybrid  automatic  repeat  request）フィードバックを示す。
【図１２】一例に従う、ダウンリンクスケジューリングを実行するよう動作するｅＮｏｄｅＢ（evolved  node  B）の機能を示す。
【図１３】一例に従う、ダウンリンクスケジューリングを実行するよう動作するｅＮｏｄｅＢ（evolved  node  B）の機能を示す。
【図１４】一例に従う、ダウンリンクスケジューリングを実行する方法のフローチャートを示す。
【図１５】一例による、無線装置（例えば、ＵＥ）の図を示す。  以下では、図示の例示的な実施形態を参照し、本願明細書ではそれらを説明するために固有の言語が用いられる。しかしながら、それにより本発明の範囲の如何なる限定も意図されないことが理解されるだろう。
【発明を実施するための形態】
【０００６】
本発明が開示され説明される前に、本発明は本願明細書に開示される特定の構造、処理ステップ又は材料に限定されず、関連分野の当業者により認識されるように、それらの等価物にまで拡張されることが理解されるべきである。本願明細書で用いられる用語は、特定の例を説明することのみを目的としており、限定を目的としていないことが理解されるべきである。異なる図中の同じ参照符号は、同じ要素を表す。フローチャート及び処理中に提供される数値は、ステップ及び動作を説明する際に明確性のために提供されるものであり、必ずしも特定の順序又は配列を示さない。
【０００７】
＜例示的な実施形態＞
以下に、技術的実施形態の最初の概略が提供され、次に特定の技術的実施形態が詳細に説明される。この最初の概要は、読者が技術をより迅速に理解するのを助けることを目的としており、技術の主要な特徴又は基本的特徴を特定することを意図せず、あるいは請求される主題の範囲を限定することを意図しない。
【０００８】
主搬送波（ＰＣｅｌｌ）又はプライマリセルのサブフレームを用いて副搬送波（ＳＣｅｌｌ）又はセカンダリセルに対するダウンリンクスケジューリングを実行する技術が記載される。セカンダリセルは、未認可搬送波タイプ（unlicensed  carrier  type：ＵＣＴ）としても参照され得る。プライマリセルは、認可帯域を用いてユーザ機器（ＵＥ）と通信するよう構成され得る。また、セカンダリセルは、未認可帯域を用いてＵＥと通信するよう構成され得る。ＵＥは、キャリアアグリゲーションを用いて、プライマリセル及びセカンダリセルの両方と通信できる。一例では、ｅＮＢ（evolved  node  B）は、主搬送波（ＰＣｅｌｌ）又はプライマリセルのサブフレームを用いてセカンダリセルのためのダウンリンクスケジューリングを実行できる。例えば、ｅＮＢは、セカンダリセルのためにサブフレーム間スケジューリングを実行するために、プライマリセルの所定フレームの中の１又は複数のサブフレームを識別できる。その後、ｅＮＢは、プライマリセルの１又は複数のサブフレームを用いて、セカンダリセルの１又は複数のダウンリンクサブフレームに対し、サブフレーム間スケジューリングを実行できる。
【０００９】
一例では、セカンダリセルのためのサブフレーム間搬送波スケジューリングを実行するために使用されるプライマリセルのサブフレームは、ダウンリンクサブフレーム及び／又は専用サブフレームであり得る。搬送波間スケジューリングは、所定のサブフレーム間スケジューリングパターンに従って実行され得る。例えば、サブフレーム間スケジューリングは、サブフレーム間スケジューリングを実行するために用いられるプライマリセルの専用サブフレームを示すことができる。所定のサブフレーム間スケジューリングパターンは、プライマリセルが時分割多重（ＴＤＤ）又は周波数分割多重（ＦＤＤ）で動作するか、及びセカンダリセルがＴＤＤ又はＦＤＤで動作するか、に依存し得る。
【００１０】
ある構成では、プライマリセルのサブフレームは、サブフレーム境界及び対応するインデックスに関してセカンダリセルのサブフレームと揃えられ得る。別の構成では、プライマリセルのサブフレームは、サブフレーム境界及び対応するインデックスに関してセカンダリセルのサブフレームと揃えられない。一例では、単一のＤＣＩ（downlink  control  information）が、セカンダリセルの各々のダウンリンクサブフレームに対するサブフレーム間スケジューリングを実行するために使用され得る。別の例では、単一のＤＣＩ（downlink  control  information）が、セカンダリセルの所定数の連続したダウンリンクサブフレームに対するサブフレーム間スケジューリングを実行するために使用され得る（例えば、１つのＤＣＩが、セカンダリセルの５個の連続するダウンリンクサブフレームのために使用され得る）。
【００１１】
ある構成では、ｅＮＢは、セカンダリセルの１又は複数のサブフレームから、ＨＡＲＱ（hybrid  automatic  repeat  request）フィードバックを受信できる。ＨＡＲＱフィードバックのために使用されるセカンダリセルのサブフレームは、所定のＨＡＲＱフィードバックパターンに基づくプライマリセルの１又は複数のアップリンクサブフレームに対応し得る。一例では、セカンダリセルのサブフレームは、プライマリセルの対応するサブフレームの送信方向と異なる送信方向を有し得る。本例では、セカンダリセルのサブフレームからのＨＡＲＱフィードバックは、プライマリセルの代替サブフレームを用いて送信され得る。
【００１２】
近年、無線広帯域データに対する要求が増大してきたので、セルラ事業者は、彼らのサービス提供を補強するために未認可スペクトルを使用するか否かを検討している。ＬＴＥ−Ａ（Long  Term  Evolution  Advanced）における未認可スペクトルを利用するために、「LTE  in  Unlicensed」又はＬＴＥ−Ｕの３ＧＰＰ  ＬＴＥ標準への採用について検討されている。また、ＬＴＥ−Ｕは、ライセンス補助アクセス（licensed  assisted  access：ＬＡＡ）を表し得る。ＬＴＥ−Ｕは、ＬＴＥプラットフォームを未認可の配置にまで拡張することを提案する。したがって、事業者及びベンダが、無線及びコアネットワークの中のＬＴＥ及びＥＰＣ（evolved  packet  core）ハードウェアにおける既存の又は計画投資を利用することを可能にする。ＬＴＥ  Ａｄｖａｎｃｅｄを未認可スペクトルにまで持ち込むことにより、事業者は、未認可５ＧＨｚ帯域（又は他の未認可帯域）をより良好に利用できる。その結果、事業者は、既存のネットワーク容量を拡充し、ユーザ経験の向上を提供することができる。
【００１３】
一例では、ＬＴＥ−Ｕは、ＬＴＥキャリアアグリゲーション（ＣＡ）構成における付加ダウンリンク又は成分搬送波（Component  Carrier：ＣＣ）と考えられる。未認可帯域におけるＬＴＥの使用は、その帯域においてＬＴＥと他の現行技術との共存を余儀なくさせる。例えば、ＬＴＥ−Ｕは、未認可スペクトルで動作するよう設計され得る。したがって、ＬＴＥ−Ｕは、同じ未認可スペクトルの中で使用されるＷｉ−Ｆｉと衝突しない。複数のＬＴＥ事業者が同じ未認可スペクトルを使用するので、同じ帯域の中の異なるＬＴＥ事業者の間の自己共存（self−coexistence）は、高いネットワーク性能及びユーザ経験の向上を維持するために必要である。
【００１４】
現在の技術は、未認可帯域の中の付加副搬送波（ＳＣｅｌｌ）として動作すべき新規搬送波タイプを表す。新規搬送波タイプは、未認可搬送波タイプ（unlicensed  carrier  type：ＵＣＴ）としても参照され得る。用語「ＵＣＴ」、「セカンダリセル」、及び「副搬送波」は、本願明細書において同義的に用いられ得る。代替で、新規搬送波タイプは、未認可セカンダリセルとして参照され得る。言い換えると、副搬送波（ＳＣｅｌｌ）又はセカンダリセルは、未認可帯域の中で動作し得る。ユーザ機器（ＵＥ）は、未認可帯域の中で動作するセカンダリセルに接続され得る。さらに、ＵＥは、認可帯域を用いて動作するプライマリセル（ＰＣｅｌｌ）又は主搬送波に接続され得る。ＵＥは、キャリアアグリゲーションの状況において、プライマリセル及びセカンダリセルの両方に接続され得る。認可帯域と未認可帯域との間のキャリアアグリゲーションは、増大したデータレートを提供でき、それによりＵＥに拡張された経験を提供する。
【００１５】
セカンダリセル（又はＵＣＴ）の未認可帯域での動作は、２つの状態、つまり休止状態及び使用中状態に分類できる。休止状態の間のＵＣＴサブフレームは、休止サブフレームとして参照され得る。一方で、使用中状態の間のサブフレームは、使用中サブフレームとして参照され得る。ＵＣＴがサブフレーム／フレーム境界のプライマリセル（ＰＣｅｌｌ）との整合を維持するか否かに依存して、ＵＣＴは、２つのタイプ、つまりタイプ１及びタイプ２に分類され得る。ＵＣＴ  ＳＣｅｌｌとＰＣｅｌｌとの間のサブフレーム境界が整合しているとき、ＵＣＴはタイプ１である。ＵＣＴ  ＳＣｅｌｌとＰＣｅｌｌとの間のサブフレーム境界が整合していないとき、ＵＣＴはタイプ２である。
【００１６】
図１Ａは、主搬送波（ＰＣｅｌｌ）のサブフレーム境界に揃えられるサブフレーム境界を有する第１の種類の未認可タイプ（タイプ１  ＵＣＴ）の副搬送波（ＳＣｅｌｌ）を示す。図１Ａに示すように、ＳＣｅｌｌ  ＵＣＴサブフレーム（休止サブフレーム及び使用中サブフレームの両方）は、サブフレーム境界において、ＰＣｅｌｌレガシー搬送波タイプ（legacy  carrier  type：ＬＣＴ）サブフレームと揃えられる。例えば、プライマリセルのフレーム＃ｎの中の使用中サブフレーム＃４は、セカンダリセル（又はＵＣＴ）のフレーム＃ｎの中の使用中サブフレーム＃３と実質的に揃えられ得る。休止状態の間のＵＣＴは、ＬＴＥ−Ｕ送信用に媒体を予約するために、ＬＢＴ（listen  before  talk）及びチャネル予約メカニズムを実行できる。使用中状態の間に予約されるサブフレームの数は、ＬＴＥ−Ｕのトラフィック負荷及びスペクトル可用性に依存し得る。
【００１７】
図１Ｂは、主搬送波（ＰＣｅｌｌ）のサブフレーム境界に揃えられないサブフレーム境界を有する第２の種類の未認可タイプ（タイプ２  ＵＣＴ）の副搬送波（ＳＣｅｌｌ）を示す。図１Ｂに示すように、ＳＣｅｌｌ  ＵＣＴサブフレーム（休止サブフレーム及び使用中サブフレームの両方）は、サブフレーム境界において、ＰＣｅｌｌレガシー搬送波タイプ（legacy  carrier  type：ＬＣＴ）サブフレームと揃えられない。例えば、プライマリセルのフレーム＃ｎの中の使用中サブフレーム＃６は、セカンダリセル（又はＵＣＴ）のフレーム＃ｎの中のサブフレーム＃４と揃えられない。言い換えると、タイプ２  ＵＣＴでは、タイプ２  ＵＣＴの中のフレーム／サブフレーム境界及び対応するインデックスは、プライマリセル（ＰＣｅｌｌ）のフレーム／サブフレーム境界及び対応するインデックスと揃えられない。
【００１８】
ＵＣＴ  ＳＣｅｌｌのための新規なダウンリンクスケジューリング割り当てメカニズム及び対応するＨＡＲＱ  ＡＣＫ／ＮＡＣＫフィードバック送信メカニズムが本願明細書に記載される。一例では、ＵＣＴは、キャリアアグリゲーション（ＣＡ）の状況において付加副搬送波（ＳＣｅｌｌ）として機能できる。ここで、ＵＥは、認可主搬送波（ＰＣｅｌｌ）にも接続される。現在の技術は、ＵＣＴがＭａｓｔｅｒ  ｅＮＢ（ＭｅＮＢ）グループの中でＳＣｅｌｌからＰＣｅｌｌへと動作するとき、二重接続（dual  connectivity：ＤＣ）の状況でも適用可能である。同様に、現在の技術は、ＵＣＴがセカンダリｅＮＢ（ＳｅＮＢ）グループの中でＳＣｅｌｌからｓＰＣｅｌｌへと動作するとき、適用可能である。ｓＰＣｅｌｌは、ＳｅＮＢの中のＳＣｅｌｌのうちの１つであり、ＨＡＲＱ  ＡＣＫ／ＮＡＣＫフィードバックの送信のために使用される。さらに、本願明細書に記載の技術は、タイプ２  ＵＣＴに関連する。ここで、ＵＣＴは、ｓＰＣｅｌｌ及びＭｅＮＢグループの中のＰＣｅｌｌとして動作する。
【００１９】
ＵＣＴのためのダウンリンク（ＤＬ）スケジューリングは、２つの技術、つまりＰＣｅｌｌ搬送波間スケジューリング及びＳＣｅｌｌ自己スケジューリングを用いて実行され得る。したがって、ＵＣＴ使用中サブフレームは、自己スケジューリングされ、又は認可ＰＣｅｌｌを用いて搬送波を跨ってスケジューリングされ得る。ＵＣＴは、専ら、付加ダウンリンク搬送波として使用され得るので、未認可帯域の中の他の現行の無線アクセス技術（radio  access  technology：ＲＡＴ）の使用により、ＵＣＴの中の制御チャネルの信頼できる受信は保証できない。したがって、本願明細書に記載の新規なアプローチは、制御情報（例えば、スケジューリング情報、ＨＡＲＱ  ＡＣＫ／ＮＡＣＫフィードバック、等）の信頼できる受信を保証できる。
【００２０】
一例では、ＵＣＴのためのＤＬスケジューリング情報は、ＰＣｅｌｌ搬送波間スケジューリングを用いて送信され得る。レガシー搬送波では、搬送波間スケジューリングは、専ら、セル間干渉調整のために使用され得る。ここで、搬送波間スケジューリングを用いることにより、ダウンリンク（ＤＬ）制御チャネルにおける重度の干渉が回避できる。ダウンリンク制御チャネルの例は、ＰＤＣＣＨ（physical  downlink  control  channel）又はＰＨＩＣＨ（physical  hybrid−ARQ  indicator  channel）を含み得る。このような干渉は、ＵＥが、向上したスモールセルオフローディングのために範囲拡張ゾーンの中に位置し得るがマクロセルからの重度の干渉を受け得る、異種ネットワーク展開において生じ得る。ＵＣＴに関して、未認可ＳＣｅｌｌの中のＤＬ／ＵＬ制御チャネルの信頼できる受信は、保証できない。ＵＣＴ  ＰＤＣＣＨ（physical  downlink  control  channel）又はＥＰＤＣＣＨ（enhanced  PDCCH）を通じる自己スケジューリングを使用する代わりに、搬送波間スケジューリングを通じて使用中ＵＣＴサブフレームをスケジューリングするために、認可ＰＣｅｌｌが使用され得る。
【００２１】
別の例では、ＵＣＴのためのＤＬスケジューリング情報は、ＳＣｅｌｌ自己スケジューリングを用いて送信され得る。ＵＣＴでの制御チャネル（ＰＤＣＣＨ／ＥＰＤＣＣＨ）受信の信頼性を向上するために、レガシー自己スケジューリングメカニズムに更なる改良が導入され得る。このような改良は、より下位の変調及び符号化方式を使用することにより達成できる。自己スケジューリングでは、ＳＣｅｌｌ自体は、（ＰＣｅｌｌとは反対に）制御チャネルの信頼できる受信を保証できる。したがって、ＳＣｅｌｌ（又はＵＣＴ）は、未認可帯域を使用する他のＲＡＴＳと衝突しない。
【００２２】
認可ＰＣｅｌｌは、時分割多重（ＴＤＤ）又は周波数分割多重（ＦＤＤ）を用いて動作できる。さらに、未認可ＳＣｅｌｌは、ＴＤＤ又はＦＤＤを用いて動作できる。認可ＰＣｅｌｌ及び未認可ＳＣｅｌｌの多重化方式（つまり、ＦＤＤ又はＴＤＤ）に依存して、ＵＣＴ  ＳＣｅｌｌの搬送波間スケジューリングについて、全部で４つのシナリオが特定できる。
【００２３】
【表１】
0006353059.tif 000002
シナリオ１、２では、ＰＣｅｌｌはＦＤＤを用いて動作し、レガシーメカニズムが再利用でき、つまりサブフレームｎの中でＰＣｅｌｌの中のＰＤＣＣＨ又はＥＰＤＣＣＨは、サブフレームｎの中のＳＣｅｌｌのためのスケジューリング情報を提供できる。
【００２４】
他方で、シナリオ３、４では、レガシーメカニズムは、限られた能力しか有しない。シナリオ３では、ＳＣｅｌｌ  ＴＤＤ  ＤＬサブフレームは、対応するＰＣｅｌｌ  ＴＤＤサブフレームがＵＬである場合、搬送波間スケジューリングできない。同様に、シナリオ４では、ＰＣｅｌｌの中のサブフレームｎがＵＬである場合、ＳＣｅｌｌの中の対応するＤＬサブフレームは、ＰＣｅｌｌを用いて搬送波間スケジューリングできない。この問題を解決するために、現在の技術は、２つの新規なメカニズムを説明する。つまり、第１のメカニズムは、ＰＤＳＣＨのサブフレーム間スケジューリングを含み、第２のメカニズムは、ＰＤＳＣＨの複数サブフレームスケジューリングを含む。一例では、シナリオ３、４を改善するために提案されるこれら２つの新規なメカニズムは、シナリオ１、２にも直ちに適用可能である。さらに、これら２つの新規なメカニズムは、タイプ１  ＵＣＴ（つまり、サブフレームが整列される）とタイプ２  ＵＣＴ（つまり、サブフレームが整列されない）の両方に適用可能である。
【００２５】
一例では、サブフレーム間スケジューリングは、ＰＤＳＣＨの中のＵＣＴに対し実行され得る。ＰＣｅｌｌ  ＤＬサブフレームの数はＳＣｅｌｌ  ＤＬサブフレームの数より少なくなり得るので、幾つかのＳＣｅｌｌ  ＤＬサブフレームは、単一のＰＣｅｌｌ  ＤＬサブフレームから搬送波間スケジューリングされ得る。複数のダウンリンク制御情報（downlink  control  information：ＤＣＩ）は、単一のＰＣｅｌｌ  ＤＬサブフレームから複数のＳＣｅｌｌ  ＤＬサブフレームについてのスケジューリング情報を伝達するために使用され得る。言い換えると、セカンダリセルの各々のダウンリンクサブフレームは、単一のＤＣＩを用いてスケジューリングできる（つまり、ＤＣＩの数とセカンダリセルのスケジューリングされるダウンリンクサブフレームの数との間には１対１の関係がある）。ＰＤＣＣＨ／ＥＰＤＣＣＨ送信とＰＤＳＣＨ送信との間のサブフレームの数を最小化することが望ましい。
【００２６】
図２Ａは、主搬送波（ＰＣｅｌｌ）が時分割多重（ＴＤＤ）を用いて動作し、副搬送波（ＳＣｅｌｌ）が周波数分割多重（ＦＤＤ）を用いて動作するときの例示的なサブフレーム間スケジューリングを示す。専用サブフレームのダウンリンクパイロットタイムスロット（Downlink  Pilot  Time  Slot：ＤｗＰＴＳ）の中のＰＤＣＣＨは、対応するＰＣｅｌｌサブフレームがＵＬである後続のＳＣｅｌｌ  ＤＬサブフレームのスケジューリング情報を伝達するために使用される。図２Ａに示すように、プライマリセルの第１のサブフレームは、セカンダリセルの第１のサブフレームに対するサブフレーム内スケジューリングを実行できる。しかしながら、プライマリセルの第２のサブフレーム（つまり、専用サブフレーム）は、セカンダリセルの第２のサブフレームに対するサブフレーム内スケジューリング、及びセカンダリセルの第４のサブフレームに対するサブフレーム間スケジューリングを実行できる。セカンダリセルの第４のサブフレーム（つまり、ダウンリンクサブフレーム）は、プライマリセルの中の対応する第４のサブフレームと比べて送信方向が反対である（つまり、アップリンクサブフレーム）。各々のフレーム（つまり、１０個のサブフレーム）について、セカンダリセルに対するサブフレーム間スケジューリングが同様に繰り返され得る。
【００２７】
図２Ｂは、主搬送波（ＰＣｅｌｌ）が時分割多重（ＴＤＤ）を用いて動作し、副搬送波（ＳＣｅｌｌ）がＴＤＤを用いて動作するときの例示的なサブフレーム間スケジューリングを示す。同様に、専用サブフレームのＤｗＰＴＳの中のＰＤＣＣＨは、対応するＰＣｅｌｌサブフレームがＵＬである後続のＳＣｅｌｌ  ＤＬサブフレームのスケジューリング情報を伝達するために使用される。この構成では、セカンダリセルは、搬送波間スケジューリングが実行されないアップリンクサブフレームを有し得る。例えば、セカンダリセルの第３のサブフレーム（つまり、アップリンクサブフレーム）は、プライマリセルを用いてスケジューリングされない。
【００２８】
図３は、時分割多重（ＴＤＤ）アップリンク／ダウンリンク（ＵＬ／ＤＬ）構成及びサブフレーム数ｎに基づく、サブフレーム間スケジューリングパターンを有するテーブルである。所定のＴＤＤ  ＵＬ／ＤＬ構成（例えば０−６）及び通常のＨＡＲＱ動作を有するＰＣｅｌｌでは、ＵＥは、ＵＥ宛のサブフレームｎの中のダウンリンクＤＣＩフォーマットを有するＰＤＣＣＨ／ＥＰＤＣＣＨを検出すると、ＳＣｅｌｌのサブフレームｎ＋ｋの中の対応するＰＤＳＣＨ送信を調整する。ここで、ｋはテーブルの中で与えられる。例えば、プライマリセルがＴＤＤ  ＵＬ／ＤＬ構成０であるとき、ｎが０に等しく、ｋが０に等しいとき、サブフレーム内スケジューリングは、プライマリセルの第１のサブフレームを用いて実行できる。言い換えると、プライマリセルの第１のサブフレームは、プライマリセルの第１のサブフレームにおけるサブフレーム内スケジューリングを実行するために使用され得る。ｎが１に等しいとき、プライマリセルの第２のサブフレームは、セカンダリセルの第２のサブフレームにおけるサブフレーム内スケジューリングを実行するために使用され得る。さらに、プライマリセルの第２のサブフレームは、セカンダリセルの第３のサブフレーム、セカンダリセルの第４のサブフレーム、及び／又はセカンダリセルの第５のサブフレームにおけるサブフレーム間スケジューリングを実行するために使用され得る。ｎが１に等しいとき、ｋは０、１、２、３に等しいので（及びサブフレームｎ＋ｋは、サブフレーム間スケジューリングが実行されるセカンダリセルにおけるサブフレームを示すので）、プライマリセルの第２のサブフレームは、スケジューリング（サブフレーム内、サブフレーム間、の両方）を実行するために使用され得る。
【００２９】
上述の構成では、２個のサブフレームが、サブフレーム間スケジューリングのために使用され、残りのサブフレームはサブフレーム内スケジューリングを実行する例えば、図２Ａ〜２Ｂに示すように、プライマリセルの第２のサブフレーム及びプライマリセルの第７のサブフレーム（つまり、両方の専用サブフレーム）は、セカンダリセルの複数のダウンリンクサブフレームに対するサブフレーム間スケジューリングを実行するために使用され得る。この技術はスケジューリング構成を簡単にするという利点を有するが、異なるサブフレームの間で不均等なＤＣＩトラフィック負荷が引き起こされ得る。異なるサブフレームの間でＤＣＩトラフィック負荷を平衡させるために、異なるサブフレームの間で複数サブフレームスケジューリング構成が展開される。
【００３０】
図４Ａ〜４Ｂは、主搬送波（ＰＣｅｌｌ）のダウンリンクサブフレーム及びＰＣｅｌｌ専用サブフレームを用いる、副搬送波（ＳＣｅｌｌ）のための例示的なサブフレーム間スケジューリングを示す。サブフレーム内スケジューリング構成は、レガシー構成と類似し得る。しかしながら、サブフレーム間スケジューリング構成は、複数のサブフレーム間に展開され得る。プライマリセルのダウンリンクサブフレームは、セカンダリセルのサブフレームに対してサブフレーム内スケジューリング及び／又はサブフレーム間スケジューリングを実行できる。また、プライマリセルの専用サブフレームは、セカンダリセルのサブフレームに対してサブフレーム内スケジューリング及び／又はサブフレーム間スケジューリングを実行できる。その結果、この解決策において、有利なことに、サブフレームの連続スケジューリングが提供され得る。プライマリセルのアップリンクサブフレームは、セカンダリセルに対するスケジューリングを実行するために使用されない。
【００３１】
図４Ａに示す例では、プライマリセルの第１のサブフレーム（つまり、ダウンリンクサブフレーム）は、セカンダリセルの第１のサブフレームに対するサブフレーム内スケジューリング、及びセカンダリセルの第３のサブフレームに対する搬送波間スケジューリングを実行できる。さらに、プライマリセルの第２のサブフレーム（つまり、専用サブフレーム）は、セカンダリセルの第２のサブフレームに対するサブフレーム内スケジューリング、及びセカンダリセルの第４のサブフレームに対する搬送波間スケジューリングを実行するために使用できる。セカンダリセルの各々のダウンリンクサブフレームは、サブフレーム間スケジューリングのフレーム内スケジューリングを用いてスケジューリングされ得る。
【００３２】
一例では、異なるＵＬ／ＤＬ  ＴＤＤ構成にこれらの変更を反映するために（つまり、プライマリセルのダウンリンクサブフレーム及び専用サブフレームの両方を用いて）、追加テーブル（図２のテーブルと類似する）が、３ＧＰＰ  ＬＴＥ仕様に追加され得る。
【００３３】
ある構成では、複数サブフレームスケジューリング方式の、サブフレーム間スケジューリングの代用として、ＵＣＴのために採用され得る。この構成では、単一のＤＣＩが、セカンダリセルの複数のサブフレームに対するスケジューリングを示し得る。上述のサブフレーム間スケジューリングのシナリオでは、各々のサブフレーム間のスケジューリングは、別個のＤＣＩを用いて実行され得る。しかしながら、この構成では、サブフレーム間スケジューリングがセカンダリセルに対して実行されるとき、セカンダリセルの複数のサブフレームをスケジューリングするために１つのＤＣＩが使用され得る。このアプローチは、セカンダリセルの複数のサブフレームが同時にスケジューリングされ得るので、複数サブフレームスケジューリングとして参照され得る。
【００３４】
未認可帯域の可用性に基づき、ｅＮＢは、ＵＥのトラフィックをセカンダリセル（又はＵＣＴ）にオフロードできる。未認可スペクトルが利用可能なときでも、未認可スペクトルは、トラフィック負荷及び干渉特性に依存して、数個のＵＥに利用可能なだけである場合がある。したがって、トラフィックは、複数のサブフレームを一度に割り当てることにより、特定のＵＥのためにオフロードされ得る。
【００３５】
図５は、副搬送波（ＳＣｅｌｌ）のための例示的な複数サブフレームスケジューリングを示す。複数サブフレームスケジューリングを使用することにより、Ｎ個のサブフレームのセットがスケジューリングできる。ここで、Ｎは整数である。非限定的な例として、Ｎは、４個の連続するサブフレームに設定され得る。言い換えると、プライマリセルの単一のサブフレームは、セカンダリセルの４個の連続するサブフレームに対する複数サブフレームスケジューリングを実行するために使用され得る。ある構成では、Ｎは、動的に又は半静的に構成され得る。他の構成では、セカンダリセルの連続するサブフレームがスケジューリングされるのではなく、時間インターリービングを導入することにより、付加的な多様性の利益が達成され得る。例えば、スケジューリングは、セカンダリセルの１サブフレームおきに、複数個のスロット毎に、等で実行され得る。付加的な周波数の多様性は、異なるサブフレーム及び／又はスロットの間に周波数インターリービングを導入することにより達成され得る。
【００３６】
図５に示すように、複数サブフレームスケジューリングは、特定の開始位置に従って実行され得る。一例では、サブフレームスケジューリングは予め実行でき、第１のサブフレームスケジューリングの開始位置は、第１の使用中ＵＣＴサブフレームから開始できる（図５の実線により示されるように）。代替の例では、連続スケジューリングの開始位置は、前のスケジューリングが停止した場所で開始できる（図５の破線により示すように）。後者の例では、複数サブフレームスケジューリングの開始位置は、サブフレームが使用中か休止かに拘わらず、同じサブフレームから開始できる。
【００３７】
ある構成では、サブフレーム間スケジューリングは、ＵＣＴがタイプ２であるとき（つまり、ＵＣＴのサブフレームがプライマリセルのサブフレームに揃えられていない）、実行できる。タイプ２  ＵＣＴのためのサブフレーム間スケジューリングを助けるために、並列サブフレームが使用され得る。それぞれｔ１及びｔ２の開始時点及び終了時点を有する使用中タイプ２  ＵＣＴの並列サブフレームは、それぞれｔ３及びｔ４の開始時点及び終了時点を有する対応するＰＣｅｌｌサブフレームであり、ｔ３≦ｔ１、及びｔ１≦ｔ４≦ｔ２である。
【００３８】
タイプ２  ＵＣＴでは、ＳＣｅｌｌサブフレームは、並列ＰＣｅｌｌサブフレームにより、又は並列サブフレームの前に位置するＰＣｅｌｌサブフレームにより、搬送波間、サブフレーム間、又は複数サブフレームスケジューリングを用いて、スケジューリングされ得る。搬送波間スケジューリングでは、ＤＣＩは並列ＰＣｅｌｌサブフレームからである場合、セカンダリサブフレームがスケジューリングされ得る。サブフレーム間スケジューリングでは、複数のＤＣＩが単一のＰＣｅｌｌサブフレームからである場合、スケジューリングされるサブフレーム（ＰＣｅｌｌ）はスケジューリング済みサブフレーム（ＳＣｅｌｌ）の並列サブフレームである又は並列サブフレームの前に位置するという制約の下、複数のＳＣｅｌｌサブフレームがスケジューリングされ得る。複数サブフレームスケジューリングでは、単一のＤＣＩが単一のＰＣｅｌｌサブフレームからである場合、スケジューリングされるサブフレーム（ＰＣｅｌｌ）はスケジューリング済みサブフレーム（ＳＣｅｌｌ）の並列サブフレームである又は並列サブフレームの前に位置するという制約の下、複数のＳＣｅｌｌサブフレームがスケジューリングされ得る。一例では、並列サブフレームは、ＰＣｅｌｌサブフレームとＳＣｅｌｌサブフレームとの間の１対１の概念である。
【００３９】
図６Ａ〜６Ｃは、副搬送波（ＳＣｅｌｌ）のサブフレーム境界が主搬送波（ＰＣｅｌｌ）のサブフレーム境界に揃えられないときの、ＳＣｅｌｌのためのサブフレーム間スケジューリングを示す。言い換えると、セカンダリセル（又はＵＣＴ）は、プライマリセルと非同期であり得る。図６Ａでは、プライマリセルはＦＤＤで動作する。ＵＣＴフレームの中の第１の使用中サブフレームは、ＵＣＴが媒体を予約する前に、予めスケジューリングされ得る。言い換えると、プライマリセルのフレーム＃ｎの中のサブフレーム＃１は、セカンダリセルのフレーム＃ｎの中のサブフレーム＃０に（予め）スケジューリングするために使用され得る。ＵＥが第１のサブフレームのスケジューリング情報を受信すると、ＵＥは、ＵＣＴ  ＳＣｅｌｌにおける媒体を予約するために、ＬＢＴ動作及びチャネル予約メカニズムを開始する。その後に生じるスケジューリングは、媒体が予約されると、実行され得る。ＵＣＴフレームの中の第１のサブフレーム以外のサブフレームのスケジューリングは、並列ＰＣｅｌｌサブフレームにより搬送波間スケジューリングされる。例えば、プライマリセルのフレーム＃ｎの中のサブフレーム＃５は、セカンダリセルのフレーム＃ｎの中のサブフレーム＃３をスケジューリングするために使用され得る。サブフレーム＃５及びサブフレーム＃５は、上述の定義に従う並列サブフレームである。
【００４０】
図６Ｂでは、キャリアアグリゲーション（ＣＡ）シナリオにおいて、プライマリセルはＴＤＤで動作し、セカンダリセルはＦＤＤで動作し得る。本例では、追加のサブフレーム間スケジューリングが使用され得る。例えば、ＵＣＴフレームの中の最初の３個の使用中サブフレームは、ＵＣＴが媒体を予約する前に、予めスケジューリングされ得る。これらの最初の３個のサブフレームは、未認可媒体を予約する際の不確実性のために、一緒にスケジューリングされ得る。ＵＥが、初期スケジューリング情報を受信した後に、ＬＢＴ動作及びチャネル予約メカニズムを開始する場合、その後に生じるスケジューリングは、対応するＰＣｅｌｌサブフレームがＵＬであるならば、幾つかのＵＣＴサブフレームの中で可能ではない場合がある。３個のサブフレームを予めスケジューリングすることにより、このような状況は回避できる。
【００４１】
図６Ａ及び６Ｂに示す例では、ＵＥは、初期スケジューリング情報を受信した後に、ＬＢＴ動作及びチャネル予約メカニズムを実行し始めることができる。しかしながら、ＬＢＴ及びチャネル予約メカニズムは、ネットワーク負荷、ｅＮＢの中のＮＡＶテーブル、インテリジェントセンシング、等に依存して、任意の他の時点で開始できる。
【００４２】
図６Ｃでは、プライマリセルはＴＤＤで動作する。本例では、図２のテーブルにおいて定められるルールは、並列サブフレームに対する僅かな変更を伴い再利用できる。本例では、セカンダリセルの１つのサブフレームが、予めスケジューリングされ得る。例えば、プライマリセルのフレーム＃ｎの中のサブフレーム＃１は、セカンダリセルのフレーム＃ｎの中のサブフレーム＃０に対するスケジューリングを実行するために使用され得る。また、プライマリセルのフレーム＃ｎの中のサブフレーム＃６は、セカンダリセルのフレーム＃ｎの中のサブフレーム＃１〜５に対するスケジューリングを実行するために使用され得る。
【００４３】
図７Ａ〜７Ｂは、副搬送波（ＳＣｅｌｌ）のサブフレーム境界が主搬送波（ＰＣｅｌｌ）のサブフレーム境界に揃えられないときの、ＳＣｅｌｌのためのサブフレーム間スケジューリングを示す。言い換えると、複数サブフレームスケジューリングがタイプ２  ＵＣＴに対して実行され得る。図７Ａでは、ＵＣＴフレームの中の全ての使用中サブフレームは、単一のＤＣＩを用いてスケジューリングされ得る。さらに、ＵＣＴフレームの中の全ての使用中サブフレームは、同時にスケジューリングされ得る。図７Ａに示すように、プライマリセルのフレーム＃ｎの中のサブフレーム＃１は、フレーム＃ｎの中の全てのサブフレームに対して（単一のＤＣＩを用いて）スケジューリングを実行するために使用され得る。
【００４４】
図７Ｂでは、ＵＣＴフレームの中の使用中サブフレームの所定のグループは、単一のＤＣＩを用いてスケジューリングされ得る。使用中サブフレームの所定のグループは、値ｋにより示され得る。ここで、ｋは整数である。さらに、ＵＣＴフレームの中のｋ個の使用中サブフレームのうちの全部は、同時にスケジューリングされ得る。ｋの値は、制御情報の中のＤＣＩフィールドの中で示され得る。あるいは、代替で、ｋの値は、半固定的に定められ得る。図７Ｂに示すように、プライマリセルのフレーム＃ｎの中のサブフレーム＃１は、フレーム＃ｎの中のｋ個のサブフレームに対してスケジューリングを実行するために使用され得る。ここで、ｋは４に等しい。さらに、単一のＤＣＩが、スケジューリングを実行するために使用され得る。
【００４５】
ある構成では、どのサブフレームがサブフレーム間スケジューリングを用いてスケジューリングされるかを示すために、サブフレーム指示子フィールドが用いられ得る。一例では、サブフレーム指示子フィールドは、レガシーＤＣＩフォーマットフィールドを再解釈することにより、実装され得る。例えば、３ビットの搬送波指示子フィールド（carrier  indicator  field：ＣＩＦ）は、ＤＣＩが対象とするＵＣＴ  ＳＣｅｌｌにおけるＤＬサブフレームを示すために実装され得る。別の例では、追加の２ビット長のサブフレーム指示子フィールドが、ＤＬ  ＤＣＩフォーマットに導入され得る（例えば、１、１ａ、１ｂ、１ｃ、２、２ａ、２ｂ、２ｃ、２ｄ）。最大４個のサブフレームがサブフレーム間スケジューリングのために使用できるとき、２ビットフィールドで十分である。サブフレームｎのＤＣＩフィールドがサブフレーム指示子フィールドを含む場合、ＤＣＩは、ＳＣｅｌｌのサブフレームｎ＋ｋをスケジューリングするよう意図されている。ここで、ｋは、サブフレーム指示子フィールドにより示される。特定のシナリオで数個のサブフレームがサブフレーム間スケジューリングを許可されるだけなので、ＤＣＩフィールドに追加フィールドを導入することは、数個のサブフレームの中でのみブラインド復号の数が増大し得る（例えば、１０個のサブフレームのうち２個のサブフレーム）。
【００４６】
３ＧＰＰ  ＬＴＥ標準の前のバージョンでは、タイプ１  ＵＣＴ及び搬送波間スケジューリングは標準の中でサポートされているが、サブフレーム間及び複数サブフレームスケジューリングは、標準の中でサポートされていない。搬送波間スケジューリングの以前の実装では、ＰＣｅｌｌサブフレーム（例えば、インデックス２を有する）は、同じインデックス（例えば、インデックス２）を有するＳＣｅｌｌサブフレームをスケジューリングできるだけである。
【００４７】
ある構成では、どのサブフレームが複数サブフレームスケジューリングを用いてスケジューリングされるかを示すために、サブフレーム指示子フィールドが用いられ得る。一例では、サブフレーム指示子フィールドは、レガシーＤＣＩフォーマットフィールドを再解釈することにより、実装され得る。例えば、３ビットの搬送波指示子フィールド（carrier  indicator  field：ＣＩＦ）は、ＤＣＩが対象とするＵＣＴ  ＳＣｅｌｌにおけるＤＬサブフレームを示すために実装され得る。別の例では、サブフレーム指示子フィールドは、レガシーＤＣＩ（Downlink  Control  Information）フォーマットの固定位置（例えば、先頭又は末尾）に新規なｋビットのフィールドを追加することにより、使用され得る。
【００４８】
最上位ビット（ＭＳＢ）から開始し、最下位ビット（ＬＳＢ）まで、ビットマップは、複数サブフレームスケジューリングウインドウの中の異なるＤＬサブフレームに対応し得る。一例では、ビット「１」は、スケジューリングウインドウの中の対応するサブフレームがスケジューリングされたことを示し、ビット「０」は、スケジューリングウインドウの中の対応するサブフレームがスケジューリングされなかったことを示すことができる。
【００４９】
ある構成では、ｋ＝４（図７Ｂに示すように）であり、「０１０１」のビットマップは、ｅＮＢが１つの共有ＤＣＩフォーマットにより同時にサブフレーム＃１及び＃３をスケジューリングする意図であることを示す。スケジューリングウインドウサイズ（ｋ）は、ＵＥ固有の方法で上位レイヤのシグナリングにより予め定められ又は構成されても良い。この解決策は、タイプ１  ＵＣＴ及びタイプ２  ＵＣＴの両方に適用できる。
【００５０】
追加の上位レイヤのシグナリングは、ＤＣＩを用いることとは対称的に、半固定的に定めることができる。上位レイヤの信号は、サブフレーム間スケジューリングの対応するサブフレーム間インデックスを定めることができる。スケジューリングサブフレームパターンが指定できる。例えば、サブフレーム「ｎ」で送信されるＤＣＩは、サブフレームｎから始まるＵＣＴ  ＳＣｅｌｌにおける「ｋ」個の連続するダウンリンクサブフレーム、つまりサブフレーム「ｎ」からサブフレーム「ｎ＋ｋ＋１」までを示すために使用できる。先頭サブフレームインデックスは、代替で、サブフレーム「ｎ」より後のサブフレームになるよう、上位レイヤにより構成され得る。ＵＥがＳＣｅｌｌ  ＵＣＴのサブフレームｎの中でＤＣＩを受信すると、ＵＥは、意図されたスケジューリングウインドウに含まれるＤＬサブフレームの中の対応するＰＤＳＣＨを復号できる。
【００５１】
一例では、ＵＣＴは、特定期間の間の未認可媒体、つまりＵＣＴフレームの中の使用中サブフレームの数を予約するために、ＬＢＴ（listen−before−talk）及びチャネル予約メカニズムを実行できる。予約するサブフレームの数は、規制制限、ＵＥトラフィック負荷、チャネル状態、現存のＲＡＴトラフィック、等に依存し得る。ＵＣＴフレームの間に予約される使用中サブフレームの数は、ＵＣＴフレームの中の初期スケジューリングに関連するＤＣＩを用いて示すことができる。ＵＥがこの情報を受信すると、ＵＥは、ＬＢＴ及びチャネル予約メカニズムを用いて、示された期間の間のチャネルを予約できる。代替で、これは、半固定的スケジューリングできる。
【００５２】
一例では、ＨＡＲＱ  ＡＣＫ／ＮＡＣＫフィードバックメカニズムがＵＣＴ  ＳＣｅｌｌに適用できる。ＵＣＴは専ら副搬送波として用いられるので、ＵＣＴ使用中サブフレームにおけるＤＬデータ送信に対応するＨＡＲＱ  ＡＣＫ／ＮＡＣＫフィードバックは、ＰＣｅｌｌに関連するＵＬ搬送波の中にあり得る。本願明細書に記載のＨＡＲＱ  ＡＣＫ／ＮＡＣＫフィードバックメカニズムは、タイプ１  ＵＣＴ及びタイプ２  ＵＣＴの両方に適用できる。
【００５３】
図８は、副搬送波（ＳＣｅｌｌ）ＰＤＳＣＨ（physical  downlink  shared  channel）に対応する、ＨＡＲＱ（hybrid  automatic  repeat  request）ＡＣＫ（acknowledgement）／ＮＡＣＫ（negative  acknowledgement）フィードバックのシナリオを有するテーブルである。ＰＤＳＣＨ送信に対応するＳＣｅｌｌ  ＨＡＲＱ  ＡＣＫ／ＮＡＣＫフィードバックは、８個のシナリオに分類できる。プライマリセル（ＰＣｅｌｌ）は、ＦＤＤ又はＴＤＤを用いて動作できる。セカンダリセル（ＳＣｅｌｌ）も、ＦＤＤ又はＴＤＤを用いて動作できる。シナリオに依存して、セカンダリセルは、自己スケジューリング又は搬送波間スケジューリングを用いてスケジューリングできる。さらに、８個のシナリオの各々のレガシータイミングメカニズムは、図８に示すテーブルに提示される。
【００５４】
シナリオ１、２、５、６では、つまり関連するＰＣｅｌｌがＦＤＤであるとき、２つのタイミングメカニズムは、ＳＣｅｌｌ  ＨＡＲＱフィードバックを送信すると考えられる。第１のタイミングメカニズムでは、ＳＣｅｌｌ  ＨＡＲＱフィードバックは、ＰＣｅｌｌ  ＨＡＲＱタイミングに続くことができる。第２のタイミングメカニズムでは、ＳＣｅｌｌ  ＨＡＲＱフィードバックは、ＳＣｅｌｌ  ＨＡＲＱタイミングに続くことができる。
【００５５】
ＦＤＤ搬送波に関して、サブフレームｎで受信されるＨＡＲＱ  ＡＣＫ／ＮＡＣＫフィードバックは、サブフレームｎ−４におけるＰＤＳＣＨ送信に関連し得る。ＴＤＤ搬送波に関して、サブフレームｎで受信されるＨＡＲＱ  ＡＣＫ／ＮＡＣＫフィードバックは、サブフレームｎ−ｋにおけるＰＤＳＣＨ送信に関連し得る。ここで、ｋの値は、３ＧＰＰ  ＴＳ（Technical  Specification）３６．２１３  Ｒｅｌｅａｓｅ１２．０．０のＴａｂｌｅ１０．１．３．１−１の中で与えられる。
【００５６】
第１のタイミングメカニズムがＵＣＴフィードバック送信のために使用される場合、シナリオ１、２、５、６では、ＵＣＴ使用中サブフレームインデックスｎ−４に関連するＨＡＲＱ  ＡＣＫ／ＮＡＣＫ送信は、ＰＣｅｌｌ  ＵＬサブフレームインデックスｎで送信され得る。第１のタイミングメカニズムは、レガシー搬送波の中のシナリオ１、２のために使用され得る。他方で、第２のタイミングメカニズムが使用される場合、シナリオ１、２、５、６では、ＦＤＤ  ＵＣＴ使用中サブフレームインデックスｎ−４又はＴＤＤ  ＵＣＴサブフレームインデックスｎ−ｋに関連するＨＡＲＱ  ＡＣＫ／ＮＡＣＫ送信は、ＰＣｅｌｌ  ＵＬサブフレームインデックスｎで送信され得る。ここで、ｋは、３ＧＰＰ  ＴＳ（Technical  Specification）３６．２１３  Ｒｅｌｅａｓｅ１２．０．０のＴａｂｌｅ１０．１．３．１−１の中で与えられる。
【００５７】
シナリオ３、４、７、８では（つまり、ＵＣＴに関連するＰＣｅｌｌがＴＤＤであるとき）、幾つかのシナリオが生じ得る。第１のシナリオでは、ＳＣｅｌｌ  ＤＬサブフレームは、ＰＣｅｌｌ  ＤＬサブフレームの部分集合であり得る。第２のシナリオでは、ＰＣｅｌｌ  ＤＬサブフレームは、ＳＣｅｌｌ  ＤＬサブフレームの部分集合であり得る。
【００５８】
第１のシナリオに関して（つまり、ＳＣｅｌｌ  ＤＬサブフレームがＰＣｅｌｌ  ＤＬサブフレームの部分集合であるとき）、この状況は、シナリオ３及び７で（つまり、ＰＣｅｌｌ及びＳＣｅｌｌの両方がＴＤＤで動作するとき）生じ得る。３ＧＰＰ  ＴＳ（Technical  Specification）３６．２１３  Ｒｅｌｅａｓｅ１２．０．０のＴａｂｌｅ１０．２−１、Ｓｅｔ１に更に記載されるように、ＳＣｅｌｌ  ＵＬ／ＤＬ構成の中のＤＬサブフレームは、ＰＣｅｌｌ  ＵＬ／ＤＬ構成の中のＤＬサブフレームの部分集合であり得る。本例では、上述の第１のメカニズムは（つまり、ＳＣｅｌｌ  ＨＡＲＱフィードバックがＰＣｅｌｌ  ＨＡＲＱタイミングに続くとき）、従来の場合にはＨＡＲＱ  ＡＣＫ／ＮＡＣＫ送信のために使用できる。同様のアプローチは、ＵＣＴ  ＨＡＲＱ  ＡＣＫ／ＮＡＣＫフィードバックのために使用できる。
【００５９】
第２のシナリオに関して（つまり、ＰＣｅｌｌ  ＤＬサブフレームがＳＣｅｌｌ  ＤＬサブフレームの部分集合であるとき）、この状況は、ＳＣｅｌｌがＦＤＤで動作するとき、つまりシナリオ４及び８で生じ得る。この状況は、シナリオ３及び７でも生じ得る。シナリオ３及び７では、３ＧＰＰ  ＬＴＥ  ３６．２１３  Ｒｅｌｅａｓｅ１２．０．０のＴａｂｌｅ１０．２−１、Ｓｅｔ２及び４に更に記載されるように、ＰＣｅｌｌ  ＵＬ／ＤＬ構成の中のＤＬサブフレームは、ＳＣｅｌｌ  ＵＬ／ＤＬ構成の中のＤＬサブフレームの部分集合である。
【００６０】
シナリオ３が生じるとき（つまり、ＰＣｅｌｌ及びＳＣｅｌｌの両方がＴＤＤで動作するとき）、ｅＩＭＴＡ（enhanced  Interference  Mitigation  &  Traffic  Adaptation）特徴がＵＣＴ  ＳＣｅｌｌにおいて有効でない場合、又はｅＩＭＴＡ特徴がＵＣＴ  ＳＣｅｌｌにおいて有効であるとき上位レイヤがＤＬ基準構成を構成した場合、ＳＣｅｌｌは、ＳＩＢ１（system  information  block  type  １）に従う自身のＨＡＲＱタイミングに続くことにより、自己スケジューリングを実行できる。同様のアプローチは、ＵＣＴ  ＳＣｅｌｌに適応できる。
【００６１】
３ＧＰＰ  ＬＴＥ標準の以前のリリースでは（例えば、帯域間ＴＣＣ  ＣＡを有するＲｅｌｅａｓｅ１１）、ＰＣｅｌｌ及びＳＣｅｌｌの両方がＴＤＤで動作するとき（つまり、シナリオ７が生じるとき）、ＳＣｅｌｌは、ＨＡＲＱフィードバックのためのＰＣｅｌｌ構成に従うことができる。しかしながら、この技術は、ＵＣＴ  ＳＣｅｌｌに直ちに適用できない。レガシー搬送波間スケジューリング技術では、ＰＣｅｌｌとＳＣｅｌｌとの間の重なり合うＤＬサブフレームのみが、クロススケジューリングできた。しかしながら、現在の技術において記載されるＬＴＥ−Ｕのためのサブフレーム間スケジューリング技術により、ＬＴＥ−Ｕの可能なＵＥ（つまり、ＬＴＥ−Ｕを使用するよう構成されるＵＥ）のピークデータレートを最大化するために、対象とされるＤＬサブフレームの全部がスケジューリングされる。したがって、「衝突するサブフレーム」のための新規なＨＡＲＱ  ＡＣＫ／ＮＡＣＫタイミングが本願明細書に記載される。「衝突するサブフレーム」は、ＵＣＴ  ＳＣｅｌｌにおける送信方向がＬＣＴ  ＰＣｅｌｌにおける自身の対応するサブフレームと方向が異なるサブフレームであり得る。ＵＣＴにおける衝突するサブフレームを解決するために、ＨＡＲＱタイミングを適切に定める技術が以下に記載される。
【００６２】
図９Ａは、副搬送波（ＳＣｅｌｌ）のための例示的なＨＡＲＱ（hybrid  automatic  repeat  request）フィードバックを示す。図９Ａは、ＵＣＴの衝突するサブフレームに関するＨＡＲＱフィードバック問題を示す。図９Ａに示すように、搬送波間ＰＤＳＣＨスケジューリングは、プライマリセルの第１のサブフレーム、プライマリセルの第２のサブフレーム、プライマリセルの第６のサブフレーム、プライマリセルの第７のサブフレーム、以下同様、を用いて実行できる。ＨＡＲＱ  ＡＣＫ／ＮＡＣＫフィードバックは、プライマリセルのアップリンクサブフレームを用いてセカンダリセルから生じ得る。例えば、セカンダリセルの第１のサブフレームは、プライマリセルの第５のサブフレームを用いて、ＨＡＲＱ  ＡＣＫ／ＮＡＣＫフィードバックを実行できる。また、セカンダリセルの第２のサブフレームは、プライマリセルの第６のサブフレームを用いて、ＨＡＲＱ  ＡＣＫ／ＮＡＣＫフィードバックを実行できる。プライマリセル及びセカンダリセルの両方の第１及び第２のサブフレームは、同じ送信方向である（つまり、ダウンリンクサブフレームである）。しかしながら、セカンダリセルの第５のサブフレームは、プライマリセルの対応する第５のサブフレームと同じ送信方向ではない。本例では、プライマリセルの第５のサブフレームは、アップリンク方向であり、セカンダリセルの第５のサブフレームは、ダウンリンク方向である。その結果、セカンダリセルのサブフレーム＃４（つまり第５のサブフレーム）は、衝突するサブフレームに属し、ＨＡＲＱ  ＡＣＫ／ＮＡＣＫフィードバックを送信できない。同様に、セカンダリセルのサブフレーム＃９（つまり、第１０のサブフレーム）も、衝突するサブフレームに属する。
【００６３】
幾つかのメカニズムは、上述の問題を解決するために利用できる。一例では、ＰＣｅｌｌ構成を用いる代わりに、（シナリオ３における自己スケジューリングの例と同様に）ＳＣｅｌｌが自身のＨＡＲＱ  ＡＣＫ／ＮＡＣＫタイミングに従うことができる。別の例では、ＳＣｅｌｌは、幾つかのＤＬサブフレームからのＡＣＫ／ＮＡＣＫを多重化／バンドリングすることにより、ＰＣｅｌｌタイミングに従うことができる。更に別の例では、ＳＣｅｌｌは、レガシー搬送波間スケジューリング技術を用いてスケジューリングされ得るＤＬサブフレームのためのＰＣｅｌｌタイミング構成に従うことができる。他のＤＬサブフレーム（つまり、衝突するサブフレーム）では、新規なタイミングが、ＨＡＲＱ  ＡＣＫフィードバックのために導入できる。
【００６４】
一例では、シナリオ７は、ＴＤＤ  ＳＣｅｌｌのＤＬサブフレームをＦＤＤ  ＳＣｅｌｌのＤＬサブフレームの部分集合と考えることにより、シナリオ８（つまり、ＰＣｅｌｌがＴＤＤを用いて動作し、ＳＣｅｌｌがＦＤＤを用いて動作するとき）の特別な場合として考えることができる。したがって、シナリオ８について提案される解決策は、ＳＣｅｌｌ  ＴＤＤ構成をＦＤＤの特別な場合として扱うことにより再利用されるシナリオであり得る。
【００６５】
図９Ｂは、副搬送波（ＳＣｅｌｌ）のための例示的なＨＡＲＱ（hybrid  automatic  repeat  request）フィードバックを示す。本例では、ＳＣｅｌｌ  ＨＡＲＱフィードバックは、ＳＣｅｌｌ基準タイミングに従い得る。図９Ｂに示すように、セカンダリセルの第１及び第２のサブフレームは、プライマリセルの第８のサブフレーム（つまり、サブフレーム＃７）を用いてＨＡＲＱフィードバックを提供できる。その結果、セカンダリセルの第４のサブフレームは、ＨＡＲＱフィードバックを提供するために、プライマリセルの第８のサブフレーム（つまり、サブフレーム＃８）を使用できる。したがって、セカンダリセルの第４のサブフレームが衝突するサブフレームであっても（つまり、送信方向が、プライマリセルの第４のサブフレームの送信方向と異なる）、セカンダリセルの第４のサブフレームは依然としてＨＡＲＱフィードバックを提供できる。
【００６６】
図９Ｃは、副搬送波（ＳＣｅｌｌ）のための例示的なＨＡＲＱ（hybrid  automatic  repeat  request）フィードバックを示す。本例では、ＳＣｅｌｌ  ＨＡＲＱフィードバックは、幾つかのＤＬサブフレームからのＡＣＫ／ＮＡＣＫを多重化／バンドリングすることにより、ＰＣｅｌｌタイミングに続くことができる。図９Ｃに示すように、セカンダリセルの第５及び第６の両サブフレーム（つまり、それぞれサブフレーム＃４及びサブフレーム＃５）は、プライマリセルの第１０のサブフレーム（つまり、サブフレーム＃９）を用いてＨＡＲＱフィードバックを提供できる。プライマリセルのサブフレーム＃９を用いてＨＡＲＱフィードバックを報告するセカンダリセルのサブフレーム＃４は、追加の新規なタイミングである。したがって、セカンダリセルの第４のサブフレームが衝突するサブフレームであっても、セカンダリセルの第４のサブフレームは、依然としてＨＡＲＱフィードバックを提供できる。
【００６７】
図９Ｄは、副搬送波（ＳＣｅｌｌ）のための例示的なＨＡＲＱ（hybrid  automatic  repeat  request）フィードバックを示す。本例では、ＳＣｅｌｌ  ＨＡＲＱフィードバックは、残りのサブフレームについて、既存のサブフレームのＰＣｅｌｌ基準タイミング及び新規なタイミングメカニズムに従うことができる。図９Ｄに示すように、セカンダリセルの第１のサブフレーム（つまり、サブフレーム＃０）はＨＡＲＱフィードバックのためにプライマリセルの第５のサブフレーム（つまり、サブフレーム＃４）を使用でき、セカンダリセルの第２のサブフレーム（つまり、サブフレーム＃１）はＨＡＲＱフィードバックのためにプライマリセルの第８のサブフレーム（つまり、サブフレーム＃７）を使用でき、セカンダリセルの第５のサブフレーム（つまり、サブフレーム＃４）はＨＡＲＱフィードバックのためにプライマリセルの第９のサブフレーム（つまり、サブフレーム＃８）を使用でき、セカンダリセルの第６のサブフレーム（つまり、サブフレーム＃５）はＨＡＲＱフィードバックのためにプライマリセルの第１０のサブフレーム（つまり、サブフレーム＃９）を使用できる。プライマリセルのサブフレーム＃８を用いてＨＡＲＱフィードバックを報告するセカンダリセルのサブフレーム＃４は、追加の新規なタイミングである。したがって、セカンダリセルの第４のサブフレームが衝突するサブフレームであっても、セカンダリセルの第４のサブフレームは、依然としてＨＡＲＱフィードバックを提供できる。
【００６８】
ＵＣＴに関するＴＤＤ  ＰＣｅｌｌ及びＦＤＤ  ＳＣｅｌｌによるＨＡＲＱ  ＡＣＫ／ＮＡＣＫフィードバックタイミングの問題は（シナリオ４及び８）、幾つかの解決策を用いて軽減できる。一例では、ＳＣｅｌｌはＴＤＤ  ＰＣｅｌｌタイミングに従うことができる。追加の新規なタイミングは、ＦＤＤ  ＳＣｅｌｌの残りのサブフレームのために導入できる。
【００６９】
図１０は、周波数分割多重（ＦＤＤ）で動作しＰＤＳＣＨ（physical  downlink  shared  channel）を介する副搬送波（ＳＣｅｌｌ）のダウンリンク（ＤＬ）ＨＡＲＱ（hybrid  automatic  repeat  request）タイミングのためのテーブルである。例示的なＤＬ  ＨＡＲＱタイミングは、図１０のテーブルに示すように、ＴＤＤ−ＦＤＤキャリアアグリゲーション（ＣＡ）シナリオにおけるＦＤＤ  ＳＣｅｌｌのためのものであり得る。言い換えると、ＰＣｅｌｌはＴＤＤを用いて動作でき、ＳＣｅｌｌはＦＤＤを用いて動作できる。異なるＵＬ／ＤＬ構成に対応する可能な解決策は、図１０のテーブルに示される。テーブルの中で、括弧で示される新規なエントリは、ＦＤＤ  ＳＣｅｌｌの全部のＤＬサブフレームが達成されることを保証するために追加される。
【００７０】
一例では、ＳＣｅｌｌ  ＨＡＲＱフィードバックは、本願明細書で幾つかの例が記載されるＤＬ基準ＴＤＤ  ＵＬ／ＤＬ構成に従うことができる。第１の例では、ＤＬ基準ＴＤＤ  ＵＬ／ＤＬ構成は、構成５が最大数のＤＬサブフレームを有し、１０個のサブフレームのうちの９個をフィードバックできるとき、構成５として固定できる。第２の例では、ＤＬ基準ＴＤＤ  ＵＬ／ＤＬ構成は、ＴＤＤ  ＰＣｅｌｌ  ＵＬ／ＤＬ構成に依存して固定できる。第３の例では、ＤＬ基準ＴＤＤ  ＵＬ／ＤＬ構成は、上位レイヤにより構成できる。基準ＴＤＤ  ＵＬ／ＤＬ構成を用いて解決できないＳＣｅｌｌ  ＤＬサブフレームでは、ＡＣＫ／ＮＡＣＫの新規な多重化／バンドリングが利用できる。
【００７１】
ある構成では、ＰＣｅｌｌ  ＤＬサブフレームの部分集合であるＳＣｅｌｌ  ＤＬサブフレームも、ＳＣｅｌｌ  ＤＬサブフレームの部分集合であるＰＣｅｌｌ  ＤＬも、シナリオ３及び７に適用できない。この状況は、３ＧＰＰ  ＬＴＥ  ＴＳ３６．２１３  Ｒｅｌｅａｓｅ１２．０．０のＴａｂｌｅ１０．２−１の中のｓｅｔ３及び５に関する。シナリオ３が生じるとき、既存のメカニズムは直ちに適用できる。シナリオ７が生じるとき（つまり、搬送波間スケジューリング）、既存のメカニズムは全てのＤＬサブフレームをスケジューリングできない。しかしながら、サブフレーム間スケジューリングにより、全てのサブフレームがスケジューリングできる。したがって、追加のタイミングメカニズムは、ＳＣｅｌｌ  ＤＬサブフレームのＨＡＲＱフィードバックを解決するために使用できる。幾つかの解決策が、上述の問題を解決するために記載される。一例では、上述のｓｅｔ５とは対称的に、ＰＣｅｌｌタイミング構成を用いる代わりに、ＳＣｅｌｌは、３ＧＰＰ  ＬＴＥ  ＴＳ３６．２１３のＴａｂｌｅ１０．２−１の中のｓｅｔ３に対応するタイミングに従うことができる。別の例では、ＳＣｅｌｌは、幾つかのＤＬサブフレームからのＡＣＫ／ＮＡＣＫを多重化／バンドリングすることにより、ＰＣｅｌｌタイミングに従うことができる。更に別の例では、ＳＣｅｌｌは、従来技術を用いて搬送波間スケジューリングされ得るＤＬサブフレームのためのＰＣｅｌｌタイミング構成に従うことができる。他のＤＬサブフレームのために、新規なタイミングが追加できる。別の例では、ＳＣｅｌｌは新規な基準タイミング構成に従うことができる。
【００７２】
一例では、シナリオ７は、ＴＤＤ  ＳＣｅｌｌのＤＬサブフレームをＦＤＤ  ＳＣｅｌｌのＤＬサブフレームの部分集合と考えることにより、シナリオ８（つまり、ＴＤＤ−ＦＤＤ）の特別な場合として考えることができる。したがって、シナリオ８について記載される解決策は、ＳＣｅｌｌ  ＴＤＤ構成をＦＤＤの特別な場合として扱うことにより再利用されるシナリオであり得る。ＵＣＴの場合には、フレームの中の使用中ＤＬサブフレームのみが検討される場合、第１のタイミングメカニズム（上述のような）がＨＡＲＱ  ＡＣＫ／ＮＡＣＫ送信に適用できる。
【００７３】
タイプ２  ＵＣＴに関して、ＨＡＲＱ  ＡＣＫ／ＮＡＣＫフィードバックを実行する種々のソリューションが、プライマリセル及びセカンダリセルがＦＤＤ又はＴＤＤで動作するかに依存して、記載される。以下に更に詳述するように、第１のシナリオでは、ＰＣｅｌｌはＦＤＤで動作でき、ＳＣｅｌｌはＦＤＤ又はＴＤＤで動作できる。第２のシナリオでは、ＰＣｅｌｌはＴＤＤで動作でき、ＳＣｅｌｌはＦＤＤで動作できる。第３のシナリオでは、ＰＣｅｌｌはＴＤＤで動作でき、ＳＣｅｌｌはＴＤＤで動作できる。
【００７４】
図１１Ａは、副搬送波（ＳＣｅｌｌ）のサブフレーム境界が主搬送波（ＰＣｅｌｌ）のサブフレーム境界に揃えられないときの、ＳＣｅｌｌのための例示的なＨＡＲＱ（hybrid  automatic  repeat  request）フィードバックを示す。本例では、ＰＣｅｌｌはＦＤＤで動作し、ＳＣｅｌｌはＦＤＤ又はＴＤＤで動作する。ＰＣｅｌｌがＦＤＤで動作するとき、ＵＣＴ  ＨＡＲＱフィードバックは、ＰＣｅｌｌタイミングに従うことができる。レガシー搬送波では、ＰＣｅｌｌ  ＵＬサブフレームｎで受信されるＨＡＲＱ  ＡＣＫ／ＮＡＣＫは、ＳＣｅｌｌサブフレームｎ−４におけるＰＤＳＣＨ送信に対応し得る。タイプ２  ＵＣＴの中のサブフレームインデックスがＰＣｅｌｌサブフレームインデックスと異なるので、変更されたサブフレームインデックスが、ＨＡＲＱ  ＡＣＫ／ＮＡＣＫフィードバックの目的でタイプ２  ＵＣＴのために導入できる。タイプ２  ＵＣＴに関して、ＰＣｅｌｌサブフレームとＳＣｅｌｌサブフレームとの間に１対１対応はない。したがって、上述のように並列サブフレームが使用できる。一般的に、タイプ２  ＵＣＴでは、ＵＥがＰＤＳＣＨ受信を処理しＨＡＲＱ  ＡＣＫ／ＮＡＣＫフィードバックを生成するために４ｍｓ（つまり４個のサブフレーム）の最小時間期間が必要なので、ＨＡＲＱフィードバック処理のための変更されたサブフレームインデックスは、並列ＰＣｅｌｌサブフレームインデックスに１を足したものとして定めることができる。一例として、ＵＣＴのサブフレームインデックスが０であり、ＰＣｅｌｌにおける対応する並列サブフレームインデックスが２である場合、ＨＡＲＱ  ＡＣＫ／ＮＡＣＫフィードバックの目的でＵＣＴの変更されるサブフレームインデックスは、２＋１＝３である。
【００７５】
図１１Ｂは、副搬送波（ＳＣｅｌｌ）のサブフレーム境界が主搬送波（ＰＣｅｌｌ）のサブフレーム境界に揃えられないときの、ＳＣｅｌｌのための例示的なＨＡＲＱ（hybrid  automatic  repeat  request）フィードバックを示す。本例では、ＰＣｅｌｌはＴＤＤで動作し、ＳＣｅｌｌはＦＤＤで動作する。さらに、変更されたサブフレームインデックスは、ＨＡＲＱ  ＡＣＫ／ＮＡＣＫフィードバックの目的のために上述のように適用できる。本例では、ＳＣｅｌｌは、ＨＡＲＱタイミングのためのＵＬ／ＤＬ構成０に従うことができる。
【００７６】
一例では、ＰＣｅｌｌはＴＤＤで動作でき、ＳＣｅｌｌはＴＤＤで動作できる。タイプ２  ＴＤＤ  ＵＣＴが認可ＴＤＤ  ＰＣｅｌｌでＨＡＲＱフィードバックを実行しようとするとき、従来のメカニズムは直ちに適用できない。変更されたサブフレームインデックスによっても、サブフレームのシフトに起因して、ＰＣｅｌｌ及びＳＣｅｌｌ構成は、３ＧＰＰ  ＬＴＥ  ＴＳ３６．２１３  Ｒｅｌｅａｓｅ１２．０．０のＴａｂｌｅ１０．２−１のｓｅｔと合わない。従来のタイミング構成が適用できないので、本願明細書に幾つかの技術が記載される。一例では、ＴＤＤ  ＵＣＴは、ＦＤＤ  ＵＣＴの特別な場合として考えられ、ＴＤＤ  ＵＣＴの中のＤＬサブフレームは、ＦＤＤ  ＵＣＴの中のＤＬサブフレームの部分集合である。本例では、変更されたサブフレームインデックスは、ＦＤＤタイミングメカニズムと共にＦＤＤのために使用できる。別の例では、新規なタイミングメカニズムが、各々のシフトシナリオのために導入できる。この技術は、異なるＰＣｅｌｌ  ＵＬサブフレームの間のＨＡＲＱフィードバックの追加負荷を提供するという利点を有する。
【００７７】
図１２のフローチャートに示すように、別の例は、ダウンリンクスケジューリングを実行するよう動作するｅＮＢ（evolved  node  B）の機能１２００を提供する。機能は方法として実施され得る。あるいは、機能は機械において命令として実行され得る。ここで、命令は、少なくとも１つのコンピュータ可読媒体若しくは非一時的機械可読記憶媒体に含まれる。ｅＮＢは、セカンダリセルに対するサブフレーム間スケジューリングを実行するためにプライマリセルの所定のフレームの中の１又は複数のサブフレームを識別するよう構成される１又は複数のプロセッサを有し得る。ブロック１２１０のように、プライマリセルは、認可帯域を用いてユーザ機器（ＵＥ）と通信するよう構成され、セカンダリセルは、未認可帯域を用いてＵＥと通信するよう構成される。１２２０のように、ｅＮＢは、プライマリセルの１又は複数のサブフレームを用いて、セカンダリセルの１又は複数のダウンリンクサブフレームに対し、サブフレーム間スケジューリングを実行するよう構成される１又は複数のプロセッサを有し得る。
【００７８】
一例では、１又は複数のプロセッサは、プライマリセルの専用サブフレームを用いて、セカンダリセルの１又は複数のダウンリンクサブフレームに対し、サブフレーム間スケジューリングを実行するよう更に構成され得る。ここで、サブフレーム間スケジューリングは、所定のサブフレーム間スケジューリングパターンに従って実行される。別の例では、１又は複数のプロセッサは、プライマリセルの少なくとも１つのダウンリンクサブフレーム及びプライマリセルの少なくとも１つの専用サブフレームを用いて、セカンダリセルの１又は複数のダウンリンクサブフレームに対し、サブフレーム間スケジューリングを実行するよう更に構成され得る。
【００７９】
一例では、プライマリセルのサブフレームは、サブフレーム境界及び対応するインデックスに関して、セカンダリセルのサブフレームに揃えられる。ここで、ＤＣＩ（downlink  control  information）は、セカンダリセルのダウンリンクサブフレームに対するサブフレーム間スケジューリングを実行するために用いられ、プライマリセルのサブフレームインデックスは、ＤＣＩの対象とするセカンダリセルのサブフレームインデックスと異なるＤＣＩを含む。別の例では、１又は複数のプロセッサは、プライマリセルの単一のサブフレームを用いて、セカンダリセルの所定数の連続するダウンリンクサブフレームに対し、サブフレーム間スケジューリングを実行するよう更に構成され得る。ここで、単一のＤＣＩ（downlink  control  information）が、セカンダリセルの所定数の連続するダウンリンクサブフレームに対し、サブフレーム間スケジューリングを実行するために使用される。
【００８０】
一例では、プライマリセルは時分割多重（ＴＤＤ）又は周波数分割多重（ＦＤＤ）で動作し、セカンダリセルはＴＤＤ又はＦＤＤで動作する。別の例では、１又は複数のプロセッサは、セカンダリセルのダウンリンクサブフレームとほぼ並列であるプライマリセルのサブフレームを用いて、セカンダリセルのダウンリンクサブフレームに対し、サブフレーム間スケジューリングを実行するよう更に構成され得る。ここで、プライマリセルのサブフレームは、サブフレーム境界及び対応するインデックスに関して、セカンダリセルのダウンリンクサブフレームと揃えられず、セカンダリセルのダウンリンクサブフレームは、開始時点ｔ１及び終了時点ｔ２を有し、プライマリセルのサブフレームは、開始時点ｔ３及び終了時点ｔ４を有し、ｔ３≦ｔ１、及びｔ１≦ｔ４≦ｔ２である。
【００８１】
一例では、１又は複数のプロセッサは、プライマリセルの単一のサブフレームからの複数のＤＣＩ（downlink  control  information）を用いて、セカンダリセルの所定数の連続するダウンリンクサブフレームに対し、サブフレーム間スケジューリングを実行するよう更に構成され得る。ここで、プライマリセルのサブフレームは、セカンダリセルのサブフレームと揃えられない。別の例では、サブフレーム指示子フィールドは、サブフレーム間スケジューリングがＤＣＩ（downlink  control  information）を用いて実行される、セカンダリセルのダウンリンクサブフレームのインデックスを示すために用いられる。
【００８２】
一例では、１又は複数のプロセッサは、セカンダリセルの１又は複数のサブフレームからＨＡＲＱ（hybrid  automatic  repeat  request）フィードバックを受信するよう更に構成され、セカンダリセルの１又は複数のサブフレームは、所定のＨＡＲＱフィードバックパターンに基づくプライマリセルの１又は複数のアップリンクサブフレームに対応する。別の例では、１又は複数のプロセッサは、セカンダリセルのサブフレームからのＨＡＲＱ（hybrid  automatic  repeat  request）フィードバックを受信するよう更に構成され、セカンダリセルのサブフレームは、プライマリセルの対応するサブフレームの送信方向と異なる送信方向を有する。
【００８３】
一例では、１又は複数のプロセッサは、セカンダリセルの１又は複数のサブフレームからＨＡＲＱ（hybrid  automatic  repeat  request）フィードバックを受信するよう更に構成され得る。セカンダリセルの１又は複数のサブフレームは、プライマリセルの１又は複数のアップリンクサブフレームに対応する。ここで、セカンダリセルのサブフレームは、サブフレーム境界及び対応するインデックスに関して、プライマリセルのサブフレームと揃えられない。別の例では、１又は複数のプロセッサは、セカンダリセルの使用中サブフレームに対しサブフレーム間スケジューリングを実行し、セカンダリセルの休止サブフレームに対しサブフレーム間スケジューリングを実行しないよう構成され得る。更に別の例では、認可帯域のプライマリセル及び未認可帯域のセカンダリセルは、キャリアアグリゲーションを用いてＵＥと通信するよう構成される。
【００８４】
図１３のフローチャートに示すように、別の例は、ダウンリンクスケジューリングを実行するよう動作するｅＮＢ（evolved  node  B）の機能１３００を提供する。機能は方法として実施され得る。あるいは、機能は機械において命令として実行され得る。ここで、命令は、少なくとも１つのコンピュータ可読媒体若しくは非一時的機械可読記憶媒体に含まれる。ｅＮＢは、セカンダリセルに対するサブフレーム間スケジューリングを実行するためにプライマリセルの所定のフレームの中の１又は複数のサブフレームを識別するよう構成される１又は複数のプロセッサを有し得る。ブロック１３１０のように、プライマリセルの１又は複数のサブフレームは、ダウンリンクサブフレーム又は専用サブフレームのうちの少なくとも１つを含み、プライマリセルは、認可帯域を用いてユーザ機器（ＵＥ）と通信するよう構成され、セカンダリセルは、未認可帯域を用いてＵＥと通信するよう構成される。１３２０のように、ｅＮＢは、プライマリセルの１又は複数のサブフレームを用いて、セカンダリセルの１又は複数のダウンリンクサブフレームに対し、サブフレーム間スケジューリングを実行するよう構成される１又は複数のプロセッサを有し得る。ブロック１３３０のように、ｅＮＢは、セカンダリセルの１又は複数のサブフレームからＨＡＲＱ（hybrid  automatic  repeat  request）フィードバックを受信するよう更に構成される１又は複数のプロセッサを有し得る。セカンダリセルの１又は複数のサブフレームは、所定のＨＡＲＱフィードバックパターンに基づくプライマリセルの１又は複数のアップリンクサブフレームに対応する。
【００８５】
一例では、プライマリセルのサブフレームは、サブフレーム境界及び対応するインデックスに関してセカンダリセルのサブフレームと揃えられる。別の例では、プライマリセルのサブフレームは、サブフレーム境界及び対応するインデックスに関しセカンダリセルのサブフレームと揃えられない。ここで、セカンダリセルのダウンリンクサブフレームは、開始時点ｔ１及び終了時点ｔ２を有し、プライマリセルのサブフレームは、開始時点ｔ３及び終了時点ｔ４を有し、ｔ３≦ｔ１、及びｔ１≦ｔ４≦ｔ２である。
【００８６】
一例では、１又は複数のプロセッサは、単一のＤＣＩ（downlink  control  information）を用いて、セカンダリセルの各々のダウンリンクサブフレームに対し、サブフレーム間スケジューリングを実行するよう更に構成され得る。別の例では、１又は複数のプロセッサは、ＤＣＩ（downlink  control  information）を用いて、セカンダリセルの所定数の連続するダウンリンクサブフレームに対し、サブフレーム間スケジューリングを実行するよう更に構成される。
【００８７】
別の例は、図１４のフローチャートに示すように、ダウンリンクスケジューリングを実行する方法１４００を提供する。方法は機械において命令として実行できる。ここで、命令は、少なくとも１つのコンピュータ可読媒体若しくは非一時的機械可読記憶媒体に含まれる。ブロック１４１０のように、方法は、セカンダリセルに対するサブフレーム間スケジューリングを実行するためにプライマリセルの所定のフレームの中の１又は複数のサブフレームを識別するステップを有し得る。ここで、プライマリセルは、認可帯域を用いてユーザ機器（ＵＥ）と通信するよう構成され、セカンダリセルは、未認可帯域を用いてＵＥと通信するよう構成される。ブロック１４２０のように、方法は、プライマリセルの１又は複数のサブフレームを用いて、セカンダリセルの１又は複数のダウンリンクサブフレームに対し、サブフレーム間スケジューリングを実行するステップを有し得る。
【００８８】
一例では、方法は、プライマリセルのダウンリンクサブフレーム又はプライマリセルの専用サブフレームのうちの少なくとも１つを用いて、セカンダリセルの１又は複数のダウンリンクサブフレームに対し、サブフレーム間スケジューリングを実行するステップを更に有し得る。ここで、サブフレーム間スケジューリングは、所定のサブフレーム間スケジューリングパターンに従って実行される。別の例では、方法は、プライマリセルのサブフレームが、サブフレーム境界及び対応するインデックスに関し、セカンダリセルのサブフレームと揃えられるとき、セカンダリセルの１又は複数のダウンリンクサブフレームに対し、サブフレーム間スケジューリングを実行するステップを更に有し得る。
【００８９】
一例では、方法は、ＤＣＩ（downlink  control  information）を用いて、セカンダリセルのダウンリンクサブフレームに対し、サブフレーム間スケジューリングを実行するステップであって、プライマリセルのサブフレームインデックスは、ＤＣＩが対象とするセカンダリセルのサブフレームインデックスと異なるＤＣＩを有する、ステップ、又は、プライマリセルの単一のダウンリンクサブフレームからの複数のＤＣＩ（downlink  control  information）を用いて、セカンダリセルの所定数の連続するダウンリンクサブフレームに対し、サブフレーム間スケジューリングを実行するステップ、を更に有し得る。別の例では、方法は、セカンダリセルの１又は複数のサブフレームからＨＡＲＱ（hybrid  automatic  repeat  request）フィードバックを受信するステップであって、セカンダリセルの１又は複数のサブフレームは、所定のＨＡＲＱフィードバックパターンに基づくプライマリセルの１又は複数のアップリンクサブフレームに対応する、ステップを有し得る。
【００９０】
図１１は、ユーザ機器（ＵＥ）、移動局（ＭＳ）、モバイル無線装置、モバイル通信装置、タブレット、ハンドセット、又は他の種類の無線装置のような無線装置の例示的説明を提供する。無線装置は、ノード、マクロノード、低電力ノード（low  power  node：ＬＰＮ）、又は基地局（ＢＳ）、ｅＮＢ（evolved  Node  B）、ベースバンドユニット（baseband  unit：ＢＢＵ）、ＲＲＨ（remote  radio  head）、ＲＲＥ（remote  radio  equipment）、中継局（ＲＳ）、無線機器（radio  equipment：ＲＥ）若しくは他の種類の無線広域ネットワーク（wireless  wide  area  network：ＷＷＡＮ）アクセスポイントのような送信局と通信するよう構成される１又は複数のアンテナを有し得る。無線装置は、３ＧＰＰ  ＬＴＥ、ＷｉＭＡＸ、ＨＳＰＡ（High  Speed  Packet  Access）、Ｂｌｕｅｔｏｏｔｈ（登録商標）及びＷｉＦｉを含む少なくとも１つの無線通信規格を用いて通信するよう構成され得る。無線装置は、無線通信規格毎に別個のアンテナを又は複数の無線通信規格のための共有アンテナを用いて通信できる。無線装置は、ＷＬＡＮ（wireless  local  area  network）、ＷＰＡＮ（wireless  personal  area  network）、及び／又はＷＷＡＮ内で通信できる。
【００９１】
図１１は、無線装置からの音声入力及び出力のために用いられ得るマイクロフォン及び１又は複数のスピーカの説明も提供する。ディスプレイスクリーンは、ＬＣＤ（liquid  crystal  display）スクリーン、又はＯＬＥＤ（organic  light  emitting  diode）ディスプレイのような他の種類のディスプレイスクリーンであり得る。ディスプレイスクリーンは、タッチスクリーンのように構成され得る。タッチスクリーンは、容量性、抵抗性、又は別の種類のタッチスクリーン技術を用いることができる。アプリケーションプロセッサ及びグラフィックプロセッサは、処理及び表示能力を提供するために内部メモリに結合され得る。不揮発性メモリポートも、ユーザに入力／出力オプションを提供するために用いられ得る。不揮発性メモリポートは、無線装置のメモリ容量を拡張するために用いられ得る。キーボードは、追加ユーザ入力を提供するために、無線装置に統合され又は無線装置に無線接続され得る。仮想キーボードは、タッチスクリーンを用いて提供され得る。
【００９２】
種々の技術又はその特定の態様若しくは部分は、フロッピーディスク、ＣＤ−ＲＯＭ、ハードドライブ、非一時的コンピュータ可読記憶媒体、又は任意の他の機械可読記憶媒体のような有形媒体に具現化されるプログラムコード（つまり、命令）の形式をとっても良く、プログラムコードがコンピュータのような機械に読み込まれ実行されると、該機械は、種々の技術を実施するための装置になる。回路は、ハードウェア、プログラムコード、実行可能コード、コンピュータ命令、及び／又はソフトウェアを有し得る。非一時的コンピュータ可読記憶媒体は、信号を含まないコンピュータ可読記憶媒体であり得る。プログラム可能なコンピュータでプログラムコードが実行される場合、コンピューティング装置は、プロセッサ、該プロセッサにより読み取り可能な記憶媒体（揮発性及び不揮発性メモリ、及び／又は記憶素子を含む）、少なくとも１つの入力装置、及び少なくとも１つの出力装置を含み得る。揮発性及び不揮発性メモリ及び／又は記憶素子は、ＲＡＭ、ＥＰＲＯＭ、フラッシュドライブ、光ドライブ、磁気ハードドライブ、固体ドライブ、又は電子データを格納する他の媒体であっても良い。ノード及び無線装置は、通信機モジュール、カウンタモジュール、処理モジュール、及び／又はクロックモジュール若しくはタイマモジュールを有しても良い。ここに記載した種々の技術を実施し又は利用し得る１又は複数のプログラムは、ＡＰＩ（application  programming  interface）、再利用可能制御、等を用いることができる。このようなプログラムは、コンピュータシステムと通信するために、高度な手続き又はオブジェクト指向プログラミング言語で実装され得る。しかしながら、プログラムは、望ましい場合には、アセンブラ又は機械語で実装され得る。いずれの場合にも、言語は、コンパイルされた又はインタープリットされた言語であり得、ハードウェア実装と結合され得る。
【００９３】
理解されるべきことに、本願明細書に記載の機能ユニットの多くは、それらの実装独立性を特に強調するために、モジュールとしてラベル付けされた。例えば、モジュールは、カスタムＶＬＳＩ回路又はゲートアレイ、ロジックチップ、トランジスタ若しくは他の個別部品のような市販の半導体を有するハードウェア回路として実装されても良い。モジュールは、フィールドプログラマブルゲートアレイ、プログラマブルアレイロジック、プログラマブルロジックデバイス、等のようなプログラマブルハードウェア素子内に実装され得る。
【００９４】
一例では、複数のハードウェア回路は、本願明細書に記載した機能ユニットを実装するために使用され得る。例えば、第１のハードウェア回路は、処理動作を実行するために使用でき、第２のハードウェア回路（例えば、通信機）は、他のエンティティと通信するために使用できる。第１のハードウェア回路及び第２のハードウェア回路は、単一のハードウェア回路に統合され、又は代替で、第１のハードウェア回路及び第２のハードウェア回路は、別個のハードウェア回路であっても良い。
【００９５】
モジュールは、種々の種類のプロセッサにより実行されるソフトウェアで実装され得る。例えば、実行可能コードの識別されるモジュールは、例えばオブジェクト、プロシジャ又は関数として編成され得るコンピュータ命令の１又は複数の物理又は論理ブロックを有し得る。しかしながら、識別されるモジュールの実行ファイルは、物理的に一緒に配置される必要はなく、論理的に一緒にされるとモジュールを有しモジュールの提示される目的を達成する異なる場所に格納される別個の命令を有し得る。
【００９６】
実際に、実行可能コードのモジュールは、単一命令又は多くの命令であり、幾つかの異なるコードセグメントに渡り、異なるプログラムの間で、及び幾つかのメモリ装置に渡り分散され得る。同様に、運用データは、ここにモジュール内で識別され示され、任意の適切な形式で実装され、任意の適切な種類のデータ構造で編成され得る。運用データは、単一データセットとして集められ、異なる記憶装置に渡ることを含む異なる場所に渡り分散され、少なくとも部分的にシステム又はネットワーク上の電子信号として単に存在し得る。モジュールは、所望の機能を実行するよう動作するエージェントを含み、受動的又は能動的であいｒ得る。
【００９７】
本願明細書を通じて「一例」という言及は、その例と関連して記載された特定の特徴、構造、機能又は特性が本発明の少なくとも１つの実施形態に含まれることを意味する。したがって、本願明細書を通じて種々の場所にある「一例では」という表現は、必ずしも全て同じ実施形態を参照していない。
【００９８】
ここで用いられるように、複数の用語、構造的要素、組成要素、及び／又は材料は、便宜のために共通のリストに現れ得る。しかしながら、これらのリストは、該リストの各構成要素が別個の及びユニークな構成要素として個々に識別されるものと考えられるべきである。したがって、このようなリストのいかなる個々の構成要素も、断りのない限り、事実上、共通グループ内での出現に基づき同じリストの任意の他の構成要素の等価物として考えられるべきである。さらに、本発明の種々の実施形態及び例は、その種々の成分の代替物とともにここで言及され得る。理解されるべきことに、このような実施形態、例、及び代替は、事実上互いの等価物として考えられるべきではないが、本発明の別個の及び自主的表現として考えられるべきである。
【００９９】
更に、記載の特徴、構造又は特性は、１又は複数の実施形態において、任意の適切な方法で結合され得る。以下の記載では、本発明の実施形態の完全な理解を提供するために、レイアウトの例、距離、ネットワーク例、等のような多くの特定の詳細事項が提供される。
【０１００】
しかしながら、当業者は、本発明が特定の詳細事項のうちの１又は複数がなくても又は他の方法、コンポーネント、レイアウト、等で実施できることを理解するだろう。他の例では、良く知られた構造、材料又は動作は、本発明の態様を不明瞭にしないために詳細に示されず又は記載されない。
【０１０１】
前述の例は１又は複数の特定の用途における本発明の原理の説明であるが、当業者には、発明力を行使しないで及び本発明の原理及び概念から逸脱することなく、実装の形式、使用方法及び詳細事項において多くの変更を行うことができることが明らかである。したがって、以下に記載の請求の範囲を除いて、本発明は限定されるものではない。
【図１Ａ】
0006353059.tif 000003
【図１Ｂ】
0006353059.tif 000004
【図２Ａ】
0006353059.tif 000005
【図２Ｂ】
0006353059.tif 000006
【図３】
0006353059.tif 000007
【図４Ａ】
0006353059.tif 000008
【図４Ｂ】
0006353059.tif 000009
【図５】
0006353059.tif 000010
【図６Ａ】
0006353059.tif 000011
【図６Ｂ】
0006353059.tif 000012
【図６Ｃ】
0006353059.tif 000013
【図７Ａ】
0006353059.tif 000014
【図７Ｂ】
0006353059.tif 000015
【図８】
0006353059.tif 000016
【図９Ａ】
0006353059.tif 000017
【図９Ｂ】
0006353059.tif 000018
【図９Ｃ】
0006353059.tif 000019
【図９Ｄ】
0006353059.tif 000020
【図１０】
0006353059.tif 000021
【図１１Ａ】
0006353059.tif 000022
【図１１Ｂ】
0006353059.tif 000023
【図１２】
0006353059.tif 000024
【図１３】
0006353059.tif 000025
【図１４】
0006353059.tif 000026
【図１５】
0006353059.tif 000027